(57)【要約】  共有通信媒体上でのチャネル構成のための技法が開示される。アクセスポイントが、アップリンク制御チャネルを搬送するためのリソースエレメントのセットを選択し、リソースエレメントの選択されたセットに関連する１つまたは複数の構成パラメータを含む構成メッセージを１つまたは複数のアクセス端末に送信し得る。アクセスポイントは、次いで、リソースエレメントの選択されたセットを介して１つまたは複数のアクセス端末からアップリンク制御シグナリングを受信し得る。アクセス端末は、アクセスポイントから、アップリンク制御チャネルのための１つまたは複数の構成パラメータを含む構成メッセージを受信し、構成メッセージに基づいて、アップリンク制御チャネルを搬送するように構成されたリソースエレメントのセットを決定し得る。アクセス端末は、次いで、リソースエレメントの決定されたセットを介してアクセスポイントにアップリンク制御シグナリングを送信し得る。
2018533289.tif 000002
【特許請求の範囲】
【請求項１】
アップリンク制御チャネルを搬送するためのリソースエレメントのセットを選択することと、
リソースエレメントの前記選択されたセットに関連する１つまたは複数の構成パラメータを含む構成メッセージを１つまたは複数のアクセス端末に送信することと、
リソースエレメントの前記選択されたセットを介して前記１つまたは複数のアクセス端末からアップリンク制御シグナリングを受信することと
を備える、通信方法。
【請求項２】
前記アップリンク制御チャネルを搬送するためのリソースエレメントの他のセットを選択することと、
リソースエレメントの前記他の選択されたセットに関連する１つまたは複数の他の構成パラメータを含む他の構成メッセージを前記１つまたは複数のアクセス端末に送信することと、
リソースエレメントの前記他の選択されたセットを介して前記１つまたは複数のアクセス端末からアップリンク制御シグナリングを受信することと
をさらに備える、請求項１に記載の方法。
【請求項３】
前記１つまたは複数の構成パラメータは、リソースエレメントの前記選択されたセットが位置する１つまたは複数のアップリンクサブフレームを識別するサブフレーム識別子、リソースエレメントの前記選択されたセットが位置する１つまたは複数のシンボル期間を識別するシンボル期間識別子、リソースエレメントの前記選択されたセットが位置する１つまたは複数のサブキャリアを識別するサブキャリア識別子、またはそれらの組合せを含む、請求項１に記載の方法。
【請求項４】
前記構成メッセージが、個々の無線リソース制御（ＲＲＣ）メッセージとして別々に前記１つまたは複数のアクセス端末の各々に送信される、請求項１に記載の方法。
【請求項５】
前記構成メッセージが、共通ダウンリンク制御情報（ＤＣＩ）メッセージとしてまとめて前記１つまたは複数のアクセス端末の各々に送信される、請求項１に記載の方法。
【請求項６】
アップリンクデータチャネルを搬送するためのリソースエレメントの他のセットを選択することと、ここにおいて、前記アップリンクデータチャネルを搬送するリソースエレメントの前記選択されたセットが、前記アップリンク制御チャネルを搬送するリソースエレメントの前記選択されたセットと共通サブフレーム中で多重化される、
前記アップリンクデータチャネルを搬送するリソースエレメントの前記選択されたセットのための前記サブフレーム内の開始時間を識別する許可メッセージを前記１つまたは複数のアクセス端末に送信することと、
前記アップリンクデータチャネルを搬送するリソースエレメントの前記選択されたセットを介して、前記１つまたは複数のアクセス端末からアップリンクデータシグナリングを受信することと
をさらに備える、請求項１に記載の方法。
【請求項７】
前記許可メッセージが、前記アップリンクデータチャネルを搬送するリソースエレメントの前記選択されたセットの第１のサブキャリアインターレースのための第１の開始時間と、前記アップリンクデータチャネルを搬送するリソースエレメントの前記選択されたセットの第２のサブキャリアインターレースのための第２の開始時間とを識別する、請求項６に記載の方法。
【請求項８】
第１のシンボル期間中に、前記アップリンク制御チャネルを搬送するリソースエレメントの前記選択されたセットの少なくとも一部分を、第１のアクセス端末に割り当てることと、
第２のシンボル期間中に、前記アップリンクデータチャネルを搬送するリソースエレメントの前記選択されたセットの少なくとも一部分を、第２のアクセス端末に割り当てることと、
前記第１のシンボル期間の間に、前記アップリンク制御チャネルを搬送するリソースエレメントの前記選択されたセットの前記割り当てられた部分を介して、前記第２のアクセス端末からシグナリングを受信することと
をさらに備える、請求項６に記載の方法。
【請求項９】
前記受信されたシグナリングが、前記第２のアクセス端末に関連するシグネチャを有するか、またはダミーシグナリングのために予約されたサブキャリアインターレース上で受信された、ダミー信号を備える、請求項８に記載の方法。
【請求項１０】
前記アップリンクデータチャネルのための第１の送信電力を設定することと、
前記アップリンクデータチャネルのための前記第１の送信電力に基づいて、前記アップリンク制御チャネルのための第２の送信電力を設定することと、
前記アップリンク制御チャネルのための少なくとも前記第２の送信電力を示す電力制御コマンドを前記１つまたは複数のアクセス端末に送信することと
をさらに備える、請求項６に記載の方法。
【請求項１１】
少なくとも１つのプロセッサと、
前記少なくとも１つのプロセッサに結合された少なくとも１つのメモリと、前記少なくとも１つのプロセッサおよび前記少なくとも１つのメモリが、アップリンク制御チャネルを搬送するためのリソースエレメントのセットを選択するように構成された、
リソースエレメントの前記選択されたセットに関連する１つまたは複数の構成パラメータを含む構成メッセージを１つまたは複数のアクセス端末に送信することと、リソースエレメントの前記選択されたセットを介して前記１つまたは複数のアクセス端末からアップリンク制御シグナリングを受信することとを行うように構成された少なくとも１つのトランシーバと
を備える、通信装置。
【請求項１２】
前記少なくとも１つのプロセッサおよび前記少なくとも１つのメモリが、前記アップリンク制御チャネルを搬送するためのリソースエレメントの他のセットを選択するようにさらに構成され、
前記少なくとも１つのトランシーバが、リソースエレメントの前記他の選択されたセットに関連する１つまたは複数の他の構成パラメータを含む他の構成メッセージを前記１つまたは複数のアクセス端末に送信することと、リソースエレメントの前記他の選択されたセットを介して前記１つまたは複数のアクセス端末からアップリンク制御シグナリングを受信することとを行うようにさらに構成された、請求項１１に記載の装置。
【請求項１３】
前記１つまたは複数の構成パラメータは、リソースエレメントの前記選択されたセットが位置する１つまたは複数のアップリンクサブフレームを識別するサブフレーム識別子、リソースエレメントの前記選択されたセットが位置する１つまたは複数のシンボル期間を識別するシンボル期間識別子、リソースエレメントの前記選択されたセットが位置する１つまたは複数のサブキャリアを識別するサブキャリア識別子、またはそれらの組合せを含む、請求項１１に記載の装置。
【請求項１４】
前記少なくとも１つのトランシーバが、前記構成メッセージを個々の無線リソース制御（ＲＲＣ）メッセージとして別々に前記１つまたは複数のアクセス端末の各々に送信するようにさらに構成された、請求項１１に記載の装置。
【請求項１５】
前記少なくとも１つのトランシーバが、前記構成メッセージを共通ダウンリンク制御情報（ＤＣＩ）メッセージとしてまとめて前記１つまたは複数のアクセス端末の各々に送信するようにさらに構成された、請求項１１に記載の装置。
【請求項１６】
前記少なくとも１つのプロセッサおよび前記少なくとも１つのメモリが、アップリンクデータチャネルを搬送するためのリソースエレメントの他のセットを選択するようにさらに構成され、ここにおいて、前記アップリンクデータチャネルを搬送するリソースエレメントの前記選択されたセットが、前記アップリンク制御チャネルを搬送するリソースエレメントの前記選択されたセットと共通サブフレーム中で多重化され、
前記少なくとも１つのトランシーバが、前記アップリンクデータチャネルを搬送するリソースエレメントの前記選択されたセットのための前記サブフレーム内の開始時間を識別する許可メッセージを前記１つまたは複数のアクセス端末に送信することと、前記アップリンクデータチャネルを搬送するリソースエレメントの前記選択されたセットを介して、前記１つまたは複数のアクセス端末からアップリンクデータシグナリングを受信することとを行うようにさらに構成された、請求項１に記載の装置。
【請求項１７】
前記許可メッセージが、前記アップリンクデータチャネルを搬送するリソースエレメントの前記選択されたセットの第１のサブキャリアインターレースのための第１の開始時間と、前記アップリンクデータチャネルを搬送するリソースエレメントの前記選択されたセットの第２のサブキャリアインターレースのための第２の開始時間とを識別する、請求項１６に記載の装置。
【請求項１８】
前記少なくとも１つのプロセッサおよび前記少なくとも１つのメモリが、第１のシンボル期間中に、前記アップリンク制御チャネルを搬送するリソースエレメントの前記選択されたセットの少なくとも一部分を、第１のアクセス端末に割り当てることと、第２のシンボル期間中に、前記アップリンクデータチャネルを搬送するリソースエレメントの前記選択されたセットの少なくとも一部分を、第２のアクセス端末に割り当てることとを行うようにさらに構成され、
前記少なくとも１つのトランシーバが、前記第１のシンボル期間の間に、前記アップリンク制御チャネルを搬送するリソースエレメントの前記選択されたセットの前記割り当てられた部分を介して、前記第２のアクセス端末からシグナリングを受信するようにさらに構成された、請求項１６に記載の装置。
【請求項１９】
前記受信されたシグナリングが、前記第２のアクセス端末に関連するシグネチャを有するか、またはダミーシグナリングのために予約されたサブキャリアインターレース上で受信された、ダミー信号を備える、請求項１８に記載の装置。
【請求項２０】
前記少なくとも１つのプロセッサおよび前記少なくとも１つのメモリが、前記アップリンクデータチャネルのための第１の送信電力を設定することと、前記アップリンクデータチャネルのための前記第１の送信電力に基づいて、前記アップリンク制御チャネルのための第２の送信電力を設定することとを行うようにさらに構成され、
前記少なくとも１つのトランシーバが、前記アップリンク制御チャネルのための少なくとも前記第２の送信電力を示す電力制御コマンドを前記１つまたは複数のアクセス端末に送信するようにさらに構成された、請求項１６に記載の装置。
【請求項２１】
アップリンク制御チャネルを搬送するためのリソースエレメントのセットを選択するための手段と、
リソースエレメントの前記選択されたセットに関連する１つまたは複数の構成パラメータを含む構成メッセージを１つまたは複数のアクセス端末に送信するための手段と、
リソースエレメントの前記選択されたセットを介して前記１つまたは複数のアクセス端末からアップリンク制御シグナリングを受信するための手段と
を備える、通信装置。
【請求項２２】
前記１つまたは複数の構成パラメータは、リソースエレメントの前記選択されたセットが位置する１つまたは複数のアップリンクサブフレームを識別するサブフレーム識別子、リソースエレメントの前記選択されたセットが位置する１つまたは複数のシンボル期間を識別するシンボル期間識別子、リソースエレメントの前記選択されたセットが位置する１つまたは複数のサブキャリアを識別するサブキャリア識別子、またはそれらの組合せを含む、請求項２１に記載の装置。
【請求項２３】
アップリンクデータチャネルを搬送するためのリソースエレメントの他のセットを選択するための手段と、ここにおいて、前記アップリンクデータチャネルを搬送するリソースエレメントの前記選択されたセットが、前記アップリンク制御チャネルを搬送するリソースエレメントの前記選択されたセットと共通サブフレーム中で多重化される、
前記アップリンクデータチャネルを搬送するリソースエレメントの前記選択されたセットのための前記サブフレーム内の開始時間を識別する許可メッセージを前記１つまたは複数のアクセス端末に送信するための手段と、
前記アップリンクデータチャネルを搬送するリソースエレメントの前記選択されたセットを介して、前記１つまたは複数のアクセス端末からアップリンクデータシグナリングを受信するための手段と
をさらに備える、請求項２１に記載の装置。
【請求項２４】
第１のシンボル期間中に、前記アップリンク制御チャネルを搬送するリソースエレメントの前記選択されたセットの少なくとも一部分を、第１のアクセス端末に割り当てるための手段と、
第２のシンボル期間中に、前記アップリンクデータチャネルを搬送するリソースエレメントの前記選択されたセットの少なくとも一部分を、第２のアクセス端末に割り当てるための手段と、
前記第１のシンボル期間の間に、前記アップリンク制御チャネルを搬送するリソースエレメントの前記選択されたセットの前記割り当てられた部分を介して、前記第２のアクセス端末からシグナリングを受信するための手段と
をさらに備える、請求項２３に記載の装置。
【請求項２５】
前記アップリンクデータチャネルのための第１の送信電力を設定するための手段と、
前記アップリンクデータチャネルのための前記第１の送信電力に基づいて、前記アップリンク制御チャネルのための第２の送信電力を設定するための手段と、
前記アップリンク制御チャネルのための少なくとも前記第２の送信電力を示す電力制御コマンドを前記１つまたは複数のアクセス端末に送信するための手段と
をさらに備える、請求項２３に記載の装置。
【請求項２６】
少なくとも１つのプロセッサによって実行されたとき、前記少なくとも１つのプロセッサに通信のための動作を実施させるコードを備える非一時的コンピュータ可読媒体であって、前記非一時的コンピュータ可読媒体が、
アップリンク制御チャネルを搬送するためのリソースエレメントのセットを選択するためのコードと、
アップリンク制御チャネルを搬送するためのリソースエレメントのセットを選択するためのコードと、
リソースエレメントの前記選択されたセットに関連する１つまたは複数の構成パラメータを含む構成メッセージを１つまたは複数のアクセス端末に送信するためのコードと、
リソースエレメントの前記選択されたセットを介して前記１つまたは複数のアクセス端末からアップリンク制御シグナリングを受信するためのコードと
を備える、非一時的コンピュータ可読媒体。
【請求項２７】
前記１つまたは複数の構成パラメータは、リソースエレメントの前記選択されたセットが位置する１つまたは複数のアップリンクサブフレームを識別するサブフレーム識別子、リソースエレメントの前記選択されたセットが位置する１つまたは複数のシンボル期間を識別するシンボル期間識別子、リソースエレメントの前記選択されたセットが位置する１つまたは複数のサブキャリアを識別するサブキャリア識別子、またはそれらの組合せを含む、請求項２６に記載の非一時的コンピュータ可読媒体。
【請求項２８】
アップリンクデータチャネルを搬送するためのリソースエレメントの他のセットを選択するためのコードと、ここにおいて、前記アップリンクデータチャネルを搬送するリソースエレメントの前記選択されたセットが、前記アップリンク制御チャネルを搬送するリソースエレメントの前記選択されたセットと共通サブフレーム中で多重化される、
前記アップリンクデータチャネルを搬送するリソースエレメントの前記選択されたセットのための前記サブフレーム内の開始時間を識別する許可メッセージを前記１つまたは複数のアクセス端末に送信するためのコードと、
前記アップリンクデータチャネルを搬送するリソースエレメントの前記選択されたセットを介して、前記１つまたは複数のアクセス端末からアップリンクデータシグナリングを受信するためのコードと
をさらに備える、請求項２６に記載の非一時的コンピュータ可読媒体。
【請求項２９】
第１のシンボル期間中に、前記アップリンク制御チャネルを搬送するリソースエレメントの前記選択されたセットの少なくとも一部分を、第１のアクセス端末に割り当てるためのコードと、
第２のシンボル期間中に、前記アップリンクデータチャネルを搬送するリソースエレメントの前記選択されたセットの少なくとも一部分を、第２のアクセス端末に割り当てるためのコードと、
前記第１のシンボル期間の間に、前記アップリンク制御チャネルを搬送するリソースエレメントの前記選択されたセットの前記割り当てられた部分を介して、前記第２のアクセス端末からシグナリングを受信するためのコードと
をさらに備える、請求項２８に記載の非一時的コンピュータ可読媒体。
【請求項３０】
前記アップリンクデータチャネルのための第１の送信電力を設定するためのコードと、
前記アップリンクデータチャネルのための前記第１の送信電力に基づいて、前記アップリンク制御チャネルのための第２の送信電力を設定するためのコードと、
前記アップリンク制御チャネルのための少なくとも前記第２の送信電力を示す電力制御コマンドを前記１つまたは複数のアクセス端末に送信するためのコードと
をさらに備える、請求項２８に記載の非一時的コンピュータ可読媒体。
【請求項３１】
アクセスポイントから、アップリンク制御チャネルのための１つまたは複数の構成パラメータを含む構成メッセージを受信することと、
前記構成メッセージに基づいて、前記アップリンク制御チャネルを搬送するように構成されたリソースエレメントのセットを決定することと、
リソースエレメントの前記決定されたセットを介して前記アクセスポイントにアップリンク制御シグナリングを送信することと
を備える、通信方法。
【請求項３２】
前記アクセスポイントから、前記アップリンク制御チャネルのための１つまたは複数の他の構成パラメータを含む他の構成メッセージを受信することと、
前記他の構成メッセージに基づいて、前記アップリンク制御チャネルを搬送するように構成されたリソースエレメントの他のセットを決定することと、
リソースエレメントの前記他の決定されたセットを介して前記アクセスポイントにアップリンク制御シグナリングを送信することと
さらに備える、請求項３１に記載の方法。
【請求項３３】
前記１つまたは複数の構成パラメータは、リソースエレメントの前記決定されたセットが位置する１つまたは複数のアップリンクサブフレームを識別するサブフレーム識別子、リソースエレメントの前記決定されたセットが位置する１つまたは複数のシンボル期間を識別するシンボル期間識別子、リソースエレメントの前記決定されたセットが位置する１つまたは複数のサブキャリアを識別するサブキャリア識別子、またはそれらの組合せを含む、請求項３１に記載の方法。
【請求項３４】
前記構成メッセージが、前記アクセスポイントから個々の無線リソース制御（ＲＲＣ）メッセージとして受信される、請求項３１に記載の方法。
【請求項３５】
前記構成メッセージが、前記アクセスポイントから共通ダウンリンク制御情報（ＤＣＩ）メッセージとして受信される、請求項３１に記載の方法。
【請求項３６】
前記アクセスポイントから、アップリンクデータチャネルのためのサブフレーム内の開始時間を識別する許可メッセージを受信することと、
前記許可メッセージに基づいて、前記アップリンクデータチャネルを搬送するように構成されたリソースエレメントの他のセットを決定することと、ここにおいて、前記アップリンクデータチャネルを搬送するリソースエレメントの前記決定されたセットが、前記アップリンク制御チャネルを搬送するリソースエレメントの前記決定されたセットと前記サブフレーム中で多重化される、
前記アップリンクデータチャネルを搬送するリソースエレメントの前記決定されたセットを介して前記アクセスポイントにアップリンクデータシグナリングを送信することと
をさらに備える、請求項３１に記載の方法。
【請求項３７】
前記許可メッセージが、前記アップリンクデータチャネルを搬送するリソースエレメントの前記決定されたセットの第１のサブキャリアインターレースのための第１の開始時間と、前記アップリンクデータチャネルを搬送するリソースエレメントの前記決定されたセットの第２のサブキャリアインターレースのための第２の開始時間とを識別する、請求項３６に記載の方法。
【請求項３８】
前記アクセスポイントから、第１のシンボル期間中に、前記アップリンク制御チャネルを搬送するリソースエレメントの前記決定されたセットのいずれの割当ても受信しないことと、
前記アクセスポイントから、第２のシンボル期間中に、前記アップリンクデータチャネルを搬送するリソースエレメントの前記決定されたセットの少なくとも一部分の割当てを受信することと、
前記第１のシンボル期間の間に、前記アップリンク制御チャネルを搬送するリソースエレメントの前記決定されたセットの前記割り当てられた部分を介して、前記アクセスポイントにシグナリングを送信することと
をさらに備える、請求項３６に記載の方法。
【請求項３９】
前記送信されたシグナリングが、前記シグナリングを送信するアクセス端末に関連するシグネチャを有するか、またはダミーシグナリングのために予約されたサブキャリアインターレース上で送信された、ダミー信号を備える、請求項３８に記載の方法。
【請求項４０】
前記アクセスポイントから電力制御コマンドを受信することと、
前記電力制御コマンドに基づいて第１の送信電力において前記アップリンクデータチャネルを介してアップリンクデータシグナリングを送信することと、
前記電力制御コマンドと前記第１の送信電力とに基づいて第２の送信電力において前記アップリンク制御チャネルを介してアップリンク制御シグナリングを送信することと
をさらに備える、請求項３６に記載の方法。
【請求項４１】
アクセスポイントから、アップリンク制御チャネルのための１つまたは複数の構成パラメータを含む構成メッセージを受信するように構成された少なくとも１つのトランシーバと、
少なくとも１つのプロセッサと、
前記少なくとも１つのプロセッサに結合された少なくとも１つのメモリとを備え、前記少なくとも１つのプロセッサおよび前記少なくとも１つのメモリが、前記構成メッセージに基づいて、前記アップリンク制御チャネルを搬送するように構成されたリソースエレメントのセットを決定するように構成され、
ここにおいて、前記少なくとも１つのトランシーバが、リソースエレメントの前記決定されたセットを介して前記アクセスポイントにアップリンク制御シグナリングを送信するようにさらに構成された、通信装置。
【請求項４２】
前記少なくとも１つのトランシーバが、前記アクセスポイントから、前記アップリンク制御チャネルのための１つまたは複数の他の構成パラメータを含む他の構成メッセージを受信するようにさらに構成され、
前記少なくとも１つのプロセッサおよび前記少なくとも１つのメモリが、前記他の構成メッセージに基づいて、前記アップリンク制御チャネルを搬送するように構成されたリソースエレメントの他のセットを決定するようにさらに構成され、
前記少なくとも１つのトランシーバが、リソースエレメントの前記他の決定されたセットを介して前記アクセスポイントにアップリンク制御シグナリングを送信するようにさらに構成された、請求項４１に記載の装置。
【請求項４３】
前記１つまたは複数の構成パラメータは、リソースエレメントの前記決定されたセットが位置する１つまたは複数のアップリンクサブフレームを識別するサブフレーム識別子、リソースエレメントの前記決定されたセットが位置する１つまたは複数のシンボル期間を識別するシンボル期間識別子、リソースエレメントの前記決定されたセットが位置する１つまたは複数のサブキャリアを識別するサブキャリア識別子、またはそれらの組合せを含む、請求項４１に記載の装置。
【請求項４４】
前記少なくとも１つのトランシーバが、前記アクセスポイントから前記構成メッセージを個々の無線リソース制御（ＲＲＣ）メッセージとして受信するようにさらに構成された、請求項４１に記載の装置。
【請求項４５】
前記少なくとも１つのトランシーバが、前記アクセスポイントから前記構成メッセージを共通ダウンリンク制御情報（ＤＣＩ）メッセージとして受信するようにさらに構成された、請求項４１に記載の装置。
【請求項４６】
前記少なくとも１つのトランシーバが、前記アクセスポイントから、アップリンクデータチャネルのためのサブフレーム内の開始時間を識別する許可メッセージを受信するようにさらに構成され、
前記少なくとも１つのプロセッサおよび前記少なくとも１つのメモリが、前記許可メッセージに基づいて、前記アップリンクデータチャネルを搬送するように構成されたリソースエレメントの他のセットを決定するようにさらに構成され、ここにおいて、前記アップリンクデータチャネルを搬送するリソースエレメントの前記決定されたセットが、前記アップリンク制御チャネルを搬送するリソースエレメントの前記決定されたセットと前記サブフレーム中で多重化され、
前記少なくとも１つのトランシーバが、前記アップリンクデータチャネルを搬送するリソースエレメントの前記決定されたセットを介して前記アクセスポイントにアップリンクデータシグナリングを送信するようにさらに構成された、請求項４１に記載の装置。
【請求項４７】
前記許可メッセージが、前記アップリンクデータチャネルを搬送するリソースエレメントの前記決定されたセットの第１のサブキャリアインターレースのための第１の開始時間と、前記アップリンクデータチャネルを搬送するリソースエレメントの前記決定されたセットの第２のサブキャリアインターレースのための第２の開始時間とを識別する、請求項４６に記載の装置。
【請求項４８】
前記少なくとも１つのトランシーバが、前記アクセスポイントから、第１のシンボル期間中に、前記アップリンク制御チャネルを搬送するリソースエレメントの前記決定されたセットのいずれの割当ても受信しないことと、前記アクセスポイントから、第２のシンボル期間中に、前記アップリンクデータチャネルを搬送するリソースエレメントの前記決定されたセットの少なくとも一部分の割当てを受信することと、前記第１のシンボル期間の間に、前記アップリンク制御チャネルを搬送するリソースエレメントの前記決定されたセットの前記割り当てられた部分を介して、前記アクセスポイントにシグナリングを送信することとを行うようにさらに構成された、請求項４６に記載の装置。
【請求項４９】
前記送信されたシグナリングが、前記シグナリングを送信するアクセス端末に関連するシグネチャを有するか、またはダミーシグナリングのために予約されたサブキャリアインターレース上で送信された、ダミー信号を備える、請求項４８に記載の装置。
【請求項５０】
前記少なくとも１つのトランシーバが、前記アクセスポイントから電力制御コマンドを受信することと、前記電力制御コマンドに基づいて第１の送信電力において前記アップリンクデータチャネルを介してアップリンクデータシグナリングを送信することと、前記電力制御コマンドと前記第１の送信電力とに基づいて第２の送信電力において前記アップリンク制御チャネルを介してアップリンク制御シグナリングを送信することとを行うようにさらに構成された、請求項４６に記載の装置。
【請求項５１】
アクセスポイントから、アップリンク制御チャネルのための１つまたは複数の構成パラメータを含む構成メッセージを受信するための手段と、
前記構成メッセージに基づいて、前記アップリンク制御チャネルを搬送するように構成されたリソースエレメントのセットを決定するための手段と、
リソースエレメントの前記決定されたセットを介して前記アクセスポイントにアップリンク制御シグナリングを送信するための手段と
を備える、通信装置。
【請求項５２】
前記１つまたは複数の構成パラメータは、リソースエレメントの前記決定されたセットが位置する１つまたは複数のアップリンクサブフレームを識別するサブフレーム識別子、リソースエレメントの前記決定されたセットが位置する１つまたは複数のシンボル期間を識別するシンボル期間識別子、リソースエレメントの前記決定されたセットが位置する１つまたは複数のサブキャリアを識別するサブキャリア識別子、またはそれらの組合せを含む、請求項５１に記載の装置。
【請求項５３】
前記アクセスポイントから、アップリンクデータチャネルのためのサブフレーム内の開始時間を識別する許可メッセージを受信するための手段と、
前記許可メッセージに基づいて、前記アップリンクデータチャネルを搬送するように構成されたリソースエレメントの他のセットを決定するための手段と、ここにおいて、前記アップリンクデータチャネルを搬送するリソースエレメントの前記決定されたセットが、前記アップリンク制御チャネルを搬送するリソースエレメントの前記決定されたセットと前記サブフレーム中で多重化される、
前記アップリンクデータチャネルを搬送するリソースエレメントの前記決定されたセットを介して前記アクセスポイントにアップリンクデータシグナリングを送信するための手段と
をさらに備える、請求項５１に記載の装置。
【請求項５４】
前記アクセスポイントから、第１のシンボル期間中に、前記アップリンク制御チャネルを搬送するリソースエレメントの前記決定されたセットのいずれの割当ても受信しないための手段と、
前記アクセスポイントから、第２のシンボル期間中に、前記アップリンクデータチャネルを搬送するリソースエレメントの前記決定されたセットの少なくとも一部分の割当てを受信するための手段と、
前記第１のシンボル期間の間に、前記アップリンク制御チャネルを搬送するリソースエレメントの前記決定されたセットの前記割り当てられた部分を介して、前記アクセスポイントにシグナリングを送信するための手段と
をさらに備える、請求項５３に記載の装置。
【請求項５５】
前記アクセスポイントから電力制御コマンドを受信するための手段と、
前記電力制御コマンドに基づいて第１の送信電力において前記アップリンクデータチャネルを介してアップリンクデータシグナリングを送信するための手段と、
前記電力制御コマンドと前記第１の送信電力とに基づいて第２の送信電力において前記アップリンク制御チャネルを介してアップリンク制御シグナリングを送信するための手段と
をさらに備える、請求項５３に記載の装置。
【請求項５６】
少なくとも１つのプロセッサによって実行されたとき、前記少なくとも１つのプロセッサに通信のための動作を実施させるコードを備える非一時的コンピュータ可読媒体であって、前記非一時的コンピュータ可読媒体が、
アクセスポイントから、アップリンク制御チャネルのための１つまたは複数の構成パラメータを含む構成メッセージを受信するためのコードと、
前記構成メッセージに基づいて、前記アップリンク制御チャネルを搬送するように構成されたリソースエレメントのセットを決定するためのコードと、
リソースエレメントの前記決定されたセットを介して前記アクセスポイントにアップリンク制御シグナリングを送信するためのコードと
を備える、非一時的コンピュータ可読媒体。
【請求項５７】
前記１つまたは複数の構成パラメータは、リソースエレメントの前記決定されたセットが位置する１つまたは複数のアップリンクサブフレームを識別するサブフレーム識別子、リソースエレメントの前記決定されたセットが位置する１つまたは複数のシンボル期間を識別するシンボル期間識別子、リソースエレメントの前記決定されたセットが位置する１つまたは複数のサブキャリアを識別するサブキャリア識別子、またはそれらの組合せを含む、請求項５６に記載の非一時的コンピュータ可読媒体。
【請求項５８】
前記アクセスポイントから、アップリンクデータチャネルのためのサブフレーム内の開始時間を識別する許可メッセージを受信するためのコードと、
前記許可メッセージに基づいて、前記アップリンクデータチャネルを搬送するように構成されたリソースエレメントの他のセットを決定するためのコードと、ここにおいて、前記アップリンクデータチャネルを搬送するリソースエレメントの前記決定されたセットが、前記アップリンク制御チャネルを搬送するリソースエレメントの前記決定されたセットと前記サブフレーム中で多重化される、
前記アップリンクデータチャネルを搬送するリソースエレメントの前記決定されたセットを介して前記アクセスポイントにアップリンクデータシグナリングを送信するためのコードと
をさらに備える、請求項５６に記載の非一時的コンピュータ可読媒体。
【請求項５９】
前記アクセスポイントから、第１のシンボル期間中に、前記アップリンク制御チャネルを搬送するリソースエレメントの前記決定されたセットのいずれの割当ても受信しないためのコードと、
前記アクセスポイントから、第２のシンボル期間中に、前記アップリンクデータチャネルを搬送するリソースエレメントの前記決定されたセットの少なくとも一部分の割当てを受信するためのコードと、
前記第１のシンボル期間の間に、前記アップリンク制御チャネルを搬送するリソースエレメントの前記決定されたセットの前記割り当てられた部分を介して、前記アクセスポイントにシグナリングを送信するためのコードと
をさらに備える、請求項５８に記載の非一時的コンピュータ可読媒体。
【請求項６０】
前記アクセスポイントから電力制御コマンドを受信するためのコードと、
前記電力制御コマンドに基づいて第１の送信電力において前記アップリンクデータチャネルを介してアップリンクデータシグナリングを送信するためのコードと、
前記電力制御コマンドと前記第１の送信電力とに基づいて第２の送信電力において前記アップリンク制御チャネルを介してアップリンク制御シグナリングを送信するためのコードと
をさらに備える、請求項５８に記載の非一時的コンピュータ可読媒体。
【発明の詳細な説明】
【技術分野】
【０００１】
関連出願の相互参照
[0001]本出願は、本出願の譲受人に譲渡され、その全体が参照により本明細書に明確に組み込まれる、２０１５年９月２４日に出願された「Channel Configuration in a Shared Communication Medium」と題する米国仮出願第６２／２２２，８６７号の利益を主張する。
【０００２】
[0002]本開示の態様は、一般に電気通信に関し、より詳細には、共有通信媒体上での動作などに関する。
【背景技術】
【０００３】
[0003]ワイヤレス通信システムは、音声、データ、マルチメディアなど、様々なタイプの通信コンテンツを提供するために広く展開されている。典型的なワイヤレス通信システムは、利用可能なシステムリソース（たとえば、帯域幅、送信電力など）を共有することによって複数のユーザとの通信をサポートすることが可能な多元接続システムである。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムなどがある。これらのシステムは、しばしば、第３世代パートナーシッププロジェクト（３ＧＰＰ（登録商標）：Third Generation Partnership Project）によって提供されるロングタームエボリューション（ＬＴＥ（登録商標）：Long Term Evolution）、第３世代パートナーシッププロジェクト２（３ＧＰＰ２：Third Generation Partnership Project 2）によって提供されるウルトラモバイルブロードバンド（ＵＭＢ：Ultra Mobile Broadband）およびエボリューションデータオプティマイズド（ＥＶ−ＤＯ：Evolution Data Optimized）、米国電気電子技術者協会（ＩＥＥＥ）によって提供される８０２．１１などの規格に準拠して展開される。
【０００４】
[0004]セルラーネットワークでは、「マクロセル」アクセスポイントが、ある地理的エリアにわたる多数のユーザに接続性およびカバレージを与える。地理的領域にわたって良好なカバレージを与えるために、マクロネットワーク展開が、慎重に計画され、設計され、インプリメントされる。住居およびオフィスビルのためになど、屋内または他の特定の地理的カバレージを改善するために、追加の「スモールセル」、一般的に、低電力アクセスポイントが、従来のマクロネットワークを補うために最近展開され始めた。スモールセルアクセスポイントはまた、漸進的キャパシティ増大、よりリッチなユーザエクスペリエンスなどを与え得る。
【０００５】
[0005]スモールセルＬＴＥ動作が、たとえば、ワイヤレスローカルエリアネットワーク（ＷＬＡＮ）技術によって使用される無認可国内情報インフラストラクチャ（Ｕ−ＮＩＩ：Unlicensed National Information Infrastructure）帯域などの無認可周波数スペクトルに拡張された。スモールセルＬＴＥ動作のこの拡張は、ＬＴＥシステムのスペクトル効率、したがってキャパシティを増加させるように設計される。しかしながら、それは、一般に、同じ無認可帯域を利用する他の無線アクセス技術（ＲＡＴ）、最も顕著には、一般に「Ｗｉ−Ｆｉ（登録商標）」と呼ばれるＩＥＥＥ８０２．１１ｘ  ＷＬＡＮ技術の動作と共存する必要があり得る。
【発明の概要】
【０００６】
[0006]以下の概要は、本開示の様々な態様の説明を助けるためのみに与えられる概観であり、態様の限定ではなく、態様の例示のみのために与えられる。
【０００７】
[0007]一例では、通信方法が開示される。本方法は、たとえば、アップリンク制御チャネルを搬送するためのリソースエレメントのセットを選択することと、リソースエレメントの選択されたセットに関連する１つまたは複数の構成パラメータを含む構成メッセージを１つまたは複数のアクセス端末に送信することと、リソースエレメントの選択されたセットを介して１つまたは複数のアクセス端末からアップリンク制御シグナリングを受信することとを含み得る。
【０００８】
[0008]別の例では、通信装置が開示される。本装置は、たとえば、少なくとも１つのプロセッサと、少なくとも１つのプロセッサに結合された少なくとも１つのメモリと、少なくとも１つのトランシーバとを含み得る。少なくとも１つのプロセッサおよび少なくとも１つのメモリは、アップリンク制御チャネルを搬送するためのリソースエレメントのセットを選択するように構成され得る。少なくとも１つのトランシーバは、リソースエレメントの選択されたセットに関連する１つまたは複数の構成パラメータを含む構成メッセージを１つまたは複数のアクセス端末に送信することと、リソースエレメントの選択されたセットを介して１つまたは複数のアクセス端末からアップリンク制御シグナリングを受信することとを行うように構成され得る。
【０００９】
[0009]別の例では、別の通信装置が開示される。本装置は、たとえば、アップリンク制御チャネルを搬送するためのリソースエレメントのセットを選択するための手段と、リソースエレメントの選択されたセットに関連する１つまたは複数の構成パラメータを含む構成メッセージを１つまたは複数のアクセス端末に送信するための手段と、リソースエレメントの選択されたセットを介して１つまたは複数のアクセス端末からアップリンク制御シグナリングを受信するための手段とを含み得る。
【００１０】
[0010]別の例では、少なくとも１つのプロセッサによって実行されたとき、少なくとも１つのプロセッサに通信のための動作を実施させる一時的または非一時的コンピュータ可読媒体が開示される。本コンピュータ可読媒体は、たとえば、アップリンク制御チャネルを搬送するためのリソースエレメントのセットを選択するためのコードと、リソースエレメントの選択されたセットに関連する１つまたは複数の構成パラメータを含む構成メッセージを１つまたは複数のアクセス端末に送信するためのコードと、リソースエレメントの選択されたセットを介して１つまたは複数のアクセス端末からアップリンク制御シグナリングを受信するためのコードとを含み得る。
【００１１】
[0011]別の例では、別の通信方法が開示される。本方法は、たとえば、アクセスポイントから、アップリンク制御チャネルのための１つまたは複数の構成パラメータを含む構成メッセージを受信することと、構成メッセージに基づいて、アップリンク制御チャネルを搬送するように構成されたリソースエレメントのセットを決定することと、リソースエレメントの決定されたセットを介してアクセスポイントにアップリンク制御シグナリングを送信することとを含み得る。
【００１２】
[0012]別の例では、別の通信装置が開示される。本装置は、たとえば、少なくとも１つのプロセッサと、少なくとも１つのプロセッサに結合された少なくとも１つのメモリと、少なくとも１つのトランシーバとを含み得る。少なくとも１つのトランシーバは、アクセスポイントから、アップリンク制御チャネルのための１つまたは複数の構成パラメータを含む構成メッセージを受信するように構成され得る。少なくとも１つのプロセッサおよび少なくとも１つのメモリは、構成メッセージに基づいて、アップリンク制御チャネルを搬送するように構成されたリソースエレメントのセットを決定するように構成され得、ここにおいて、少なくとも１つのトランシーバは、リソースエレメントの決定されたセットを介してアクセスポイントにアップリンク制御シグナリングを送信するようにさらに構成される。
【００１３】
[0013]別の例では、別の通信装置が開示される。本装置は、たとえば、アクセスポイントから、アップリンク制御チャネルのための１つまたは複数の構成パラメータを含む構成メッセージを受信するための手段と、構成メッセージに基づいて、アップリンク制御チャネルを搬送するように構成されたリソースエレメントのセットを決定するための手段と、リソースエレメントの決定されたセットを介してアクセスポイントにアップリンク制御シグナリングを送信するための手段とを含み得る。
【００１４】
[0014]別の例では、少なくとも１つのプロセッサによって実行されたとき、少なくとも１つのプロセッサに通信のための動作を実施させる別の一時的または非一時的コンピュータ可読媒体が開示される。本コンピュータ可読媒体は、たとえば、アクセスポイントから、アップリンク制御チャネルのための１つまたは複数の構成パラメータを含む構成メッセージを受信するためのコードと、構成メッセージに基づいて、アップリンク制御チャネルを搬送するように構成されたリソースエレメントのセットを決定するためのコードと、リソースエレメントの決定されたセットを介してアクセスポイントにアップリンク制御シグナリングを送信するためのコードとを含み得る。
【図面の簡単な説明】
【００１５】
[0015]添付の図面は、本開示の様々な態様の説明を助けるために提示され、態様の限定ではなく、態様の例示のみのために与えられる。
【図１】[0016]例示的なワイヤレスネットワーク環境を示すシステムレベル図。
【図２】[0017]例として物理アップリンク制御チャネル（ＰＵＣＣＨ：Physical Uplink Control Channel）として示されているアップリンク制御チャネルをもつ例示的な仮想時分割複信（ＴＤＤ）フレーム構造を示す図。
【図３】[0018]構成メッセージの例示的なインプリメンテーションを示す図。
【図４】[0019]関連する部分において、ＰＵＣＣＨなどのアップリンク制御チャネルを、例として物理アップリンク共有チャネル（ＰＵＳＣＨ：Physical Uplink Shared Channel）として示されているアップリンクデータチャネルと多重化するための例示的なサブフレーム構造を示すリソースマップ。
【図５】[0020]関連する部分において、ＰＵＣＣＨなどのアップリンク制御チャネルをＰＵＳＣＨなどのアップリンクデータチャネルと多重化するための別の例示的なサブフレーム構造を示すリソースマップ。
【図６】[0021]関連する部分において、ＰＵＣＣＨなどのアップリンク制御チャネルをＰＵＳＣＨなどのアップリンクデータチャネルと多重化するための電力制御方式を示すリソースマップ。
【図７】[0022]本明細書で説明される技法による、通信の例示的な方法を示す流れ図。
【図８】[0023]本明細書で説明される技法による、通信の別の例示的な方法を示す流れ図。
【図９】[0024]アクセスポイントおよびアクセス端末の例示的な構成要素をより詳細に示すデバイスレベル図。
【図１０】[0025]一連の相互に関係する機能モジュールとして表された例示的な装置を示す図。
【図１１】[0026]一連の相互に関係する機能モジュールとして表された例示的な装置を示す図。
【発明を実施するための形態】
【００１６】
[0027]本開示は、一般に共有通信媒体上での動作に関する。そのような通信媒体への干渉および不確かなアクセスの可能性に照らしてフレキシビリティを与えるために、物理アップリンク制御チャネル（ＰＵＣＣＨ）などのアップリンク制御チャネルは、それらのリソース割当てに関して動的に構成され得る。所与の時間におけるアップリンク制御チャネルのためのアクセスポイントによって選択されたリソースが、構成メッセージなどを介してアクセスポイントによってサービスされているアクセス端末と協調され得る。構成メッセージは、ブロードキャスト／マルチキャストシグナリングとユニキャストシグナリングの両方を含む様々な方法で送られ得、サブフレーム識別子、シンボル期間識別子、サブキャリア識別子などを含み得る。
【００１７】
[0028]また、ＰＵＣＣＨなどのアップリンク制御チャネルを物理アップリンク共有チャネル（ＰＵＳＣＨ）などのアップリンクデータチャネルと多重化するための追加の拡張が与えられる。たとえば、アップリンクデータチャネルのためのリソースをアクセス端末に割り当てる許可メッセージが、さらに、アップリンク制御チャネルの動的構成に関するアップリンクデータチャネルのタイミング（たとえば、ＰＵＣＣＨによってさまざまに占有され得る、異なるサブキャリアインターレース中のＰＵＳＣＨの異なる開始時間）を識別し得る。別の例として、アクセス端末が所与のシンボル期間中に制御シグナリングのために指定されない場合でも、アクセス端末はそのシンボル期間中にあるシグナリング（たとえば、ダミー信号）を送信するように構成され得、それは、通信媒体上での連続動作を維持し、後でスケジュールされるアップリンクデータシグナリングに関して阻止されることを回避するのを助け得る。別の例として、アップリンク制御チャネルの送信電力が、（たとえば、カバレージエリアに一致するかまたは実質的に一致するように）アップリンクデータチャネルの送信電力に結合され得る。
【００１８】
[0029]説明の目的で提供される様々な例を対象とする以下の説明および関連する図面において、本開示のより具体的な態様が提供される。本開示の範囲から逸脱することなく、代替態様が考案され得る。さらに、より関連する詳細を不明瞭にしないように、本開示のよく知られている態様は詳細に説明されないことがあるか、または省略されることがある。
【００１９】
[0030]以下で説明される情報および信号は、多種多様な技術および技法のいずれかを使用して表され得ることを当業者は諒解されよう。たとえば、以下の説明全体にわたって言及され得るデータ、命令、コマンド、情報、信号、ビット、シンボル、およびチップは、部分的に特定の適用例、部分的に所望の設計、部分的に対応する技術などに応じて、電圧、電流、電磁波、磁界または磁性粒子、光場または光学粒子、あるいはそれらの任意の組合せによって表され得る。
【００２０】
[0031]さらに、多くの態様が、たとえば、コンピューティングデバイスの要素によって実施されるべき一連のアクションに関して説明される。本明細書で説明される様々なアクションは、特定の回路（たとえば、特定用途向け集積回路（ＡＳＩＣ））によって、１つまたは複数のプロセッサによって実行されるプログラム命令によって、あるいは両方の組合せによって実施され得ることを認識されよう。さらに、本明細書で説明される態様の各々について、任意のそのような態様の対応する形式は、たとえば、説明されるアクションを実施する「ように構成された論理」としてインプリメントされ得る。
【００２１】
[0032]図１は、「１次（primary）」無線アクセス技術（ＲＡＴ）システム１００と「競合（competing）」ＲＡＴシステム１５０とを含むものとして例として示されている、例示的なワイヤレスネットワーク環境を示すシステムレベル図である。各システムは、概して、様々なタイプの通信（たとえば、音声、データ、マルチメディアサービス、関連する制御シグナリングなど）に関係する情報を含む、ワイヤレスリンクを介して受信および／または送信することが可能な、異なるワイヤレスノードから構成され得る。１次ＲＡＴシステム１００は、ワイヤレスリンク１３０を介して互いに通信しているアクセスポイント１１０とアクセス端末１２０とを含むものとして示されている。競合ＲＡＴシステム１５０は、別個のワイヤレスリンク１３２を介して互いに通信している２つの競合ノード１５２を含むものとして示されており、１つまたは複数のアクセスポイント、アクセス端末、または他のタイプのワイヤレスノードを同様に含み得る。一例として、１次ＲＡＴシステム１００のアクセスポイント１１０およびアクセス端末１２０は、ロングタームエボリューション（ＬＴＥ）技術に従ってワイヤレスリンク１３０を介して通信し得、競合ＲＡＴシステム１５０の競合ノード１５２は、Ｗｉ−Ｆｉ技術に従ってワイヤレスリンク１３２を介して通信し得る。各システムは、地理的領域全体にわたって分散された任意の数のワイヤレスノードをサポートし得、図示されたエンティティは単に説明の目的で示されていることが諒解されよう。
【００２２】
[0033]別段に記載されていない限り、「アクセス端末」および「アクセスポイント」という用語は、特定のＲＡＴに固有のものでも、それに限定されるものでもない。概して、アクセス端末は、ユーザが通信ネットワークを介して通信することを可能にする任意のワイヤレス通信デバイス（たとえば、モバイルフォン、ルータ、パーソナルコンピュータ、サーバ、エンターテインメントデバイス、モノのインターネット（ＩＯＴ：Internet of Things）／すべてのモノのインターネット（ＩＯＥ：Internet of Everything）対応デバイス、車両内通信デバイスなど）であり得、代替的に、異なるＲＡＴ環境では、ユーザデバイス（ＵＤ）、移動局（ＭＳ）、加入者局（ＳＴＡ）、ユーザ機器（ＵＥ）などと呼ばれることがある。同様に、アクセスポイントは、アクセスポイントがそれにおいて展開されるネットワークに応じて、アクセス端末と通信している際に１つまたは複数のＲＡＴに従って動作し得、代替的に、基地局（ＢＳ）、ネットワークノード、ノードＢ、発展型ノードＢ（ｅＮＢ）などと呼ばれることがある。そのようなアクセスポイントは、たとえば、スモールセルアクセスポイントに対応し得る。「スモールセル」は、概して、フェムトセル、ピコセル、マイクロセル、ワイヤレスローカルエリアネットワーク（ＷＬＡＮ）アクセスポイント、他の小さいカバレージエリアアクセスポイントなどを含むかまたは場合によってはそのように呼ばれることがある、低電力アクセスポイントのクラスを指す。スモールセルは、近傍内の数ブロックまたは地方環境における数平方マイルをカバーし得るマクロセルカバレージを補うために展開され得、それにより、改善されたシグナリング、漸進的キャパシティ増大、よりリッチなユーザエクスペリエンスなどにつながり得る。
【００２３】
[0034]図１に戻ると、１次ＲＡＴシステム１００によって使用されるワイヤレスリンク１３０と、競合ＲＡＴシステム１５０によって使用されるワイヤレスリンク１３２とは、共有通信媒体１４０を介して動作し得る。このタイプの通信媒体は、（たとえば、１つまたは複数のキャリアにわたる１つまたは複数のチャネルを包含する）１つまたは複数の周波数、時間、および／または空間通信リソースから構成され得る。一例として、通信媒体１４０は、無認可周波数帯域の少なくとも一部分に対応し得る。異なる認可周波数帯域が、（たとえば、米国における連邦通信委員会（ＦＣＣ）などの政府機関によって）いくつかの通信のために予約済みであるが、いくつかのシステム、特に、スモールセルアクセスポイントを採用するものは、Ｗｉ−Ｆｉを含むＷＬＡＮ技術によって使用される無認可国内情報インフラストラクチャ（Ｕ−ＮＩＩ）帯域などの無認可周波数帯域に動作を拡張した。
【００２４】
[0035]通信媒体１４０の共有により、ワイヤレスリンク１３０とワイヤレスリンク１３２との間のクロスリンク干渉（cross-link interference）の可能性がある。さらに、いくつかのＲＡＴおよびいくつかの管轄区域（jurisdiction）は、通信媒体１４０へのアクセスのために競合または「リッスンビフォアトーク（ＬＢＴ）」を必要とし得る。一例として、クリアチャネルアセスメント（ＣＣＡ）プロトコルが使用され得、それにおいて、各デバイスは、それ自体の送信のために通信媒体を奪取する（および、いくつかの場合には予約する）前に、媒体検知を介して共有通信媒体上の他のトラフィックの不在を確認する。いくつか設計では、ＣＣＡプロトコルは、通信媒体をＲＡＴ内トラフィックとＲＡＴ間トラフィックとにそれぞれ与えるための別個のＣＣＡプリアンブル検出（ＣＣＡ−ＰＤ：CCA Preamble Detection）機構とＣＣＡエネルギー検出（ＣＣＡ−ＥＤ：CCA Energy Detection）機構とを含み得る。欧州通信規格協会（ＥＴＳＩ）は、たとえば、無認可周波数帯域など、いくつかの通信媒体上の、それらのＲＡＴにかかわらずすべてのデバイスについての競合を規定する。
【００２５】
[0036]以下でより詳細に説明されるように、アクセスポイント１１０および／またはアクセス端末１２０は、上記で手短に説明された動的チャネル構成技法を与えるかまたはさもなければサポートするように、本明細書の教示に従ってさまざまに構成され得る。たとえば、アクセスポイント１１０はアップリンクチャネル構成マネージャ１１２を含み得、アクセス端末１２０はアップリンクチャネル構成マネージャ１２２を含み得る。アップリンクチャネル構成マネージャ１１２および／またはアップリンクチャネル構成マネージャ１２２は、通信媒体１４０上の異なるアップリンクチャネルの構成を管理するために異なる方法で構成され得る。
【００２６】
[0037]図２は、アクセスポイント１１０／アクセス端末１２０と競合ＲＡＴシステム１５０との間での競合ベースアクセスを可能にするために、通信媒体１４０上に１次ＲＡＴシステム１００のためにインプリメントされ得る、例示的な仮想時分割複信（ＴＤＤ）フレーム構造を示す。
【００２７】
[0038]図示されたフレーム構造は、システムフレーム番号ヌメロロジー（system frame number numerology）に従って番号付けされ（ＲＦ  Ｎ、Ｎ＋１、Ｎ＋２など）、同じく参照のために番号付けされ得る（たとえば、ＳＦ０、ＳＦ１など）それぞれのサブフレーム（ＳＦ）に分割された、一連の無線フレーム（ＲＦ）を含む。各それぞれのサブフレームはさらにスロット（図２に図示せず）に分割され得、スロットはさらにシンボル期間に分割され得る。一例として、ＬＴＥフレーム構造は、１０個のサブフレームからそれぞれ構成された１０２４個の番号付けされた無線フレームに分割されたシステムフレームを含み、それらはともに（たとえば、１ｍｓサブフレームを有する１０ｍｓ無線フレームの場合、１０．２４秒持続する）システムフレームサイクルを構成する。その上、各サブフレームは２つのスロットを備え得、各スロットは６つまたは７つのシンボル期間を備え得る。フレーム構造の使用は、よりアドホックなシグナリング技法よりもデバイスの間のより自然で効率的な協調を与え得る。
【００２８】
[0039]図２の例示的なフレーム構造は、各サブフレームが異なる時間にダウンリンク（Ｄ）、アップリンク（Ｕ）、またはスペシャル（Ｓ）サブフレームとしてさまざまに動作され得るという点で、ＴＤＤである。概して、ダウンリンクサブフレームは、ダウンリンク情報をアクセスポイント１１０からアクセス端末１２０に送信するために予約され、アップリンクサブフレームは、アップリンク情報をアクセス端末１２０からアクセスポイント１１０に送信するために予約され、スペシャルサブフレームは、ガード期間によって分離されたダウンリンク部分とアップリンク部分とを含み得る。ダウンリンク、アップリンク、およびスペシャルサブフレームの異なる配置は、異なるＴＤＤ構成と呼ばれることがある。上記のＬＴＥ例に戻ると、ＬＴＥフレーム構造のＴＤＤ変形態は、７つのＴＤＤ構成（ＴＤＤ構成（Config）０〜ＴＤＤ構成６）を含み、各構成は、ダウンリンク、アップリンク、およびスペシャルサブフレームの異なる配置を有する。たとえば、異なるトラフィックシナリオに適応するために、いくつかのＴＤＤ構成はより多くのダウンリンクサブフレームを有し得、いくつかはより多くのアップリンクサブフレームを有し得る。図２の図示の例では、ＬＴＥにおけるＴＤＤ構成３と同様であるＴＤＤ構成が採用される。採用された特定のＴＤＤ構成は、システム情報ブロック（ＳＩＢ）メッセージ、制御領域中でＴＤＤフレームフォーマットを示すための新しい物理チャネルなど（たとえば、ＬＴＥにおけるＳＩＢ−１メッセージ）を使用して、アクセスポイント１１０によってブロードキャストされ得る。
【００２９】
[0040]各ＴＤＤ構成は異なるが、すべてのＴＤＤ構成にわたって同じである、１つまたは複数のサブフレームがあり得る。これらのサブフレームは、本明細書ではアンカーサブフレーム（anchor subframe）と呼ばれる。再び上記のＬＴＥ例に戻ると、ＴＤＤ構成ＴＤＤ構成０〜ＴＤＤ構成６の各々にわたる各無線フレームにおいて、サブフレームＳＦ０はダウンリンクサブフレームであり、ＳＦ１はスペシャルサブフレームであり、ＳＦ２はアップリンクサブフレームであり、ＳＦ５はダウンリンクサブフレームである。図示の例では、アンカーサブフレームは、各無線フレームのサブフレームＳＦ０、ＳＦ１、ＳＦ２、およびＳＦ５に同様に対応するが、具体的なアンカーキャリア指定は、異なるシステムにわたって変動し得ることが諒解されよう。
【００３０】
[0041]図２の例示的なフレーム構造は、各サブフレームが、通信媒体１４０にアクセスするための競合プロシージャにより、所与のインスタンスにおける１次ＲＡＴシグナリングによって占有されることがあるかまたは占有されないことがあるという点で、仮想である。概して、アクセスポイント１１０またはアクセス端末１２０が、所与のサブフレームについての競合に勝つことができない場合、そのサブフレームは無音化され得る。
【００３１】
[0042]競合プロセス中のあるポイントにおいて、通信媒体１４０はクリアになり（たとえば、ＣＣＡクリア）、アクセスポイント１１０は、たとえば、それを奪取する。ある持続時間（たとえば、１つの無線フレーム）を有する送信機会（ＴＸＯＰ）のためにそれ自体のために通信媒体１４０を予約するために、アクセスポイント１１０は、競合ＲＡＴシステム１５０のために定義されたチャネル予約メッセージ（ＲＳＶ）２０２を送り得る。チャネル予約メッセージ２０２は、１次ＲＡＴ動作のために通信媒体１４０を予約するために、通信媒体１４０を介して（たとえば、アクセスポイント１１０にも属する競合ＲＡＴ固有トランシーバを介して）送信され得る。例示的なチャネル予約メッセージは、たとえば、競合Ｗｉ−Ｆｉ  ＲＡＴのための、８０２．１１ａデータパケット、自己への送信可（ＣＴＳ２Ｓ：Clear-to-Send-to-Self）メッセージ、送信要求（ＲＴＳ：Request-to-Send）メッセージ、送信可（ＣＴＳ）メッセージ、物理レイヤコンバージェンスプロトコル（ＰＬＣＰ）ヘッダ（たとえば、レガシー信号（Ｌ−ＳＩＧ）、高スループット信号（ＨＴ−ＳＩＧ）、または超高スループット信号（ＶＨＴ−ＳＩＧ））など、または当該の他の競合ＲＡＴのために定義された他の同様のメッセージを含み得る。チャネル予約メッセージ２０２は、アクセスポイント１１０がそれのためにアクセスを求めて競合した、ターゲットＴＸＯＰの持続時間に対応する持続時間指示（たとえば、ネットワーク割当てベクトル（ＮＡＶ：Network Allocation Vector））を含み得る。
【００３２】
[0043]通信媒体１４０上でのアップリンク動作を可能にするのを助けるために、アクセスポイント１１０は、物理アップリンク制御チャネル（ＰＵＣＣＨ）として図２に示され、以下で例として説明される、アップリンク制御チャネルを静的にではなく動的に構成し得る。これは、競合ＲＡＴシステム１５０によって作成される潜在的干渉またはチャネル阻止シナリオに応答して、フレキシビリティを与え得る。
【００３３】
[0044]図２にさらに示されているように、各アップリンクサブフレームは、通信媒体１４０上での時間（たとえば、所与のシンボル期間）リソースと周波数（たとえば、所与のサブキャリア）リソースとの異なる組合せに対応するいくつかのリソースエレメント２０４を含み得る。アクセスポイント１１０は、ＰＵＣＣＨを搬送するためのリソースのセットを動的に選択し得る。図示の例では、アクセスポイント１１０は、リソースエレメントの１つのセットを用いてＰＵＣＣＨの第１のインスタンス（構成２０６）を構成し、リソースエレメントの別のセットを用いてＰＵＣＣＨの第２のインスタンス（構成２０８）を構成し得る。
【００３４】
[0045]アクセス端末シグナリングをＰＵＣＣＨ構成と協調させるために、アクセスポイント１１０は、たとえば、リソースエレメントの選択されたセットに関連する１つまたは複数の構成パラメータを含む構成メッセージ２１０を、アクセス端末１２０に送り得る。構成メッセージ２１０は、周期的に、またはイベント駆動ベースで送られ得る。例として、構成メッセージ２１０は、所与のＴＸＯＰ中の各無線フレームの最初に送られ得る。
【００３５】
[0046]図３は、構成メッセージ２１０の例示的なインプリメンテーションを示す。この例では、構成メッセージ２１０は、関連する部分において、所与のインプリメンテーションのについて適宜に、サブフレーム識別子３０２と、シンボル期間識別子３０４と、サブキャリア識別子３０６と、（１つまたは複数の）他の識別子３０８とを含む。単一の構成メッセージ２１０は、単に説明の目的で示されており、異なる設計およびシナリオでは、様々な識別子が、信号の異なるセット中で、別個の個々の信号としてなど送信（ブロードキャストまたはユニキャスト）され得るか、または適宜に完全に省略され得ることが諒解されよう。
【００３６】
[0047]サブフレーム識別子３０２は、リソースエレメントの選択されたセットが位置する１つまたは複数のアップリンクサブフレームを識別するために使用され得る。たとえば、再び図２を参照すると、サブフレーム識別子３０２は、第１の構成２０６に関連するアップリンクサブフレーム、第２の構成２０８に関連するアップリンクサブフレーム、またはその両方を識別し得る。概して、識別されたアップリンクサブフレームは、構成メッセージ２１０がその中で送られるＴＸＯＰ（たとえば、第１の構成２０６に関連するアップリンクサブフレーム）内にあるか、または構成メッセージ２１０がその中で送られるＴＸＯＰ（たとえば、第２の構成２０８に関連するアップリンクサブフレーム）外にあり得る。
【００３７】
[0048]シンボル期間識別子３０４は、リソースエレメントの選択されたセットが位置する１つまたは複数のシンボル期間を識別し得る。たとえば、シンボル期間識別子３０４は、サブフレーム識別子３０２によって識別されるアップリンクサブフレーム内のＰＵＣＣＨのための開始位置および持続時間を識別し得る。いくつかの設計では、開始位置または持続時間のみが明示的に識別され、もう一方が（たとえば、割り当てられたＰＵＣＣＨフォーマットに基づいて）暗示されるかまたはさもなければあらかじめ決定され得る。シンボル期間の数は、（たとえば、異なるサイズのペイロードのための短いＰＵＣＣＨフォーマットと、より長いＰＵＣＣＨフォーマットの両方をカバーするために、２つ、７つ、または１４個のシンボル期間にわたる）フレキシブル動作を可能にするように動的に構成され得る。シンボル期間はまた、基準シンボル期間とペイロードシンボル期間の両方を含み得る（たとえば、２つのシンボル期間にわたるＰＵＣＣＨの場合、第１のシンボル期間は基準シンボルのために使用され得、第２のシンボル期間はＰＵＣＣＨペイロードを搬送し得る）。
【００３８】
[0049]サブキャリア識別子３０６は、リソースエレメントの選択されたセットが位置する１つまたは複数のサブキャリアを識別し得る。たとえば、サブキャリア識別子３０６は、シンボル期間識別子３０４によって識別されるシンボル期間内にＰＵＣＣＨを搬送する特定の１つまたは複数の周波数を識別し得る。別の例として、サブキャリア識別子３０６は、シンボル期間識別子３０４によって識別されるシンボル期間内にＰＵＣＣＨを搬送するチャネル帯域幅にわたる周波数のインターレースを識別し得る。
【００３９】
[0050]構成メッセージ２１０は、個々のアクセス端末を対象とするユニキャストシグナリングとアクセス端末のグループに共通のブロードキャスト／マルチキャストシグナリングの両方を含む、様々な方法で送られ得る。たとえば、構成メッセージ２１０は、個々の無線リソース制御（ＲＲＣ）メッセージとして別々に各アクセス端末に送られ得る。別の例として、構成メッセージ２１０は、共通ダウンリンク制御情報（ＤＣＩ）メッセージとしてまとめて各アクセス端末に送られ得る。どのアクセス端末がそれの構成とともにＰＵＣＣＨ上での送信のために指定されるかを示す新しいＤＣＩフォーマットが定義され得る。ＤＣＩフォーマットは、共通メッセージ中で１つまたは複数のアクセス端末のための情報を伝達するために使用され得る。
【００４０】
[0051]図４は、関連する部分において、ＰＵＣＣＨなどのアップリンク制御チャネルを、例として物理アップリンク共有チャネル（ＰＵＳＣＨ：Physical Uplink Shared Channel）として示されているアップリンクデータチャネルと多重化するための例示的なサブフレーム構造を示すリソースマップである。概して、ＰＵＳＣＨは、時間領域においてサブフレームを構成するシンボル期間（たとえば、ノーマルサイクリックプレフィックスの場合は１４個のシンボル期間）の全部または一部分にわたり、周波数領域においてサブキャリアのセットから形成される１つまたは複数のサブキャリアインターレースにわたり得る。
【００４１】
[0052]図示の例では、サブフレームを構成するリソースエレメントは、様々なリソースブロック（ＲＢ）にグループ化され、（インターレース＃１〜＃１０として示されている）１０個のインターレースに分離され、ＰＵＣＣＨおよびＰＵＳＣＨは、ＲＢおよびインターレースのそれぞれのサブセットを占有する。インターレーシング構造の例として、１００個のＲＢをもつ２０ＭＨｚチャネル帯域幅の場合、１０個ごとのＲＢからなる１０個のＲＢのセットが、各インターレースに専用であり得る。物理的ランダムアクセスチャネル（ＰＲＡＣＨ：Physical Random Access Channel）、サウンディング基準信号（ＳＲＳ：Sounding Reference Signal）チャネルなどの他のチャネル（図示せず）が、他のＲＢおよびインターレースを占有し得る。
【００４２】
[0053]アクセスポイント１１０は、先行するサブフレーム中の許可メッセージ４１０などを介してＰＵＳＣＨのためのリソースエレメントのサブセットをアクセス端末１２０に割り当てることができる。しかしながら、図示のように、ＰＵＳＣＨは、対応するインターレースが動的に割り当てられたＰＵＣＣＨ（または何らかの他のチャネル）によって共有されるかどうかに応じて、異なるシンボル期間中に開始し得る。図示の例では、ＰＵＳＣＨは、ＰＵＣＣＨが第１および第２のシンボル期間を占有するインターレース＃１では第３のシンボル期間において開始するが、ＰＵＣＣＨを含んでいないインターレース＃２では第１のシンボル期間において開始し得る。
【００４３】
[0054]アクセス端末１２０が所与のインターレース中のＰＵＳＣＨのロケーションを識別することを支援するために、許可メッセージ４１０は、ＰＵＳＣＨを搬送するリソースエレメントのセットのためのサブフレーム内の開始時間（たとえば、シンボル期間）を識別する１つまたは複数のＰＵＳＣＨタイミングパラメータ４１２をさらに含み得る。上記の例に戻ると、タイミングパラメータ４１２は、インターレース＃１中のＰＵＳＣＨのための開始時間としてそのインターレース中の第３のシンボル期間を識別し、インターレース＃２中のＰＵＳＣＨのための開始時間としてそのインターレース中の第１のシンボル期間を識別し得、以下同様である。この情報に基づいて、アクセス端末１２０は、それに応じて、レートマッチングをも実施し得る。
【００４４】
[0055]図５は、関連する部分において、ＰＵＣＣＨなどのアップリンク制御チャネルをＰＵＳＣＨなどのアップリンクデータチャネルと多重化するための別の例示的なサブフレーム構造を示すリソースマップである。この例では、各インターレースの最初の２つのシンボル期間はＰＵＣＣＨのために構成され、第１のアクセス端末（ＡＴ−１）に割当てられるが、各インターレースの残りのシンボル期間はＰＵＳＣＨのために構成され、例としてアクセス端末１２０として示されている第２のアクセス端末（ＡＴ−２）に少なくとも部分的に割り当てられる。このシナリオは、たとえば、アクセス端末が、同じサブフレーム中のＰＵＣＣＨとＰＵＳＣＨの両方の上で送信するのを制限されるいくつかのシステムにおいて起こり得る。
【００４５】
[0056]図示のように、別個の割当ておよび潜在的サブフレーム制限にもかかわらず、アクセス端末１２０は、最初の２つのシンボル期間中にＰＵＣＣＨを介してシグナリングを送り得る。いくつかの展開では、通信媒体１４０のための競合要件は、アクセスを求めて再競合しなければならないことを回避するために連続占有を要求し得る。最初の２つのシンボル期間中にＰＵＣＣＨを介してシグナリングを送ることによって、アクセス端末１２０は、ＰＵＳＣＨに至る必要とされる送信連続性を維持し、通信媒体１４０へのアクセスを求めて再競合しなければならないことを回避し得る。再競合は、他のアクセス端末（ＡＴ−１）がＰＵＳＣＨの直前に媒体１４０を占有することにより、困難であり得る。
【００４６】
[0057]ダミー信号５０２などが、最初の２つのシンボル期間中にアクセス端末１２０によって使用され得る。一例として、ダミー信号５０２は、ダミー信号５０２を他のアクセス端末（ＡＴ−１）によるＰＵＣＣＨシグナリングと区別するために、アクセス端末１２０に関連し、アクセスポイント１１０に知られているシグネチャを有し得る。シグネチャは、ダミー信号の一部として送られる基準信号のために使用される拡散シーケンスの形態であり得る。別の例として、ダミー信号５０２は、同じくダミー信号５０２を他のアクセス端末（ＡＴ−１）によるＰＵＣＣＨシグナリングと区別するために、ダミーシグナリングのために予約された１つまたは複数の所定のインターレースを占有し得る。実際のＰＵＳＣＨデータ信号５０４は、次の指定されたシンボル期間中にアクセス端末１２０によって送信され得る。
【００４７】
[0058]図６は、関連する部分において、ＰＵＣＣＨなどのアップリンク制御チャネルをＰＵＳＣＨなどのアップリンクデータチャネルと多重化するための電力制御方式を示すリソースマップである。この例では、いくつかのインターレース（たとえば、奇数番号のインターレース＃１、＃３など）の最初の２つのシンボル期間は、ＰＵＣＣＨを搬送するように構成され、他のシンボル期間および他のインターレースは、図示のようにＰＵＳＣＨまたは他のチャネルを搬送するように構成される。図示されたサブフレームの第１のシンボル期間中に、ＰＵＣＣＨとＰＵＳＣＨとはサブキャリアインターレースにわたって多重化される。図示されたサブフレームの第２のシンボル期間中に、ＰＵＣＣＨとＰＵＳＣＨとは多重化されない。
【００４８】
[0059]図示のように、アクセスポイント１１０は２つのチャネルのための送信電力を設定し、ＰＵＣＣＨとＰＵＳＣＨとを搬送するアップリンクサブフレームより前の先行するダウンリンクサブフレーム中になど、アクセス端末１２０ならびにサービスされている他のアクセス端末に、対応する電力制御コマンド６１０を送信し得る。電力制御コマンド６１０は、直接または間接的にのいずれかで、ＰＵＣＣＨとＰＵＳＣＨの一方または両方のための送信電力を示し得、別個のＰＵＳＣＨ送信電力６０２およびＰＵＣＣＨ送信電力６０４が、説明の目的で示されている。一例として、電力制御コマンド６１０は、チャネルの一方または両方のための設定点(a set-point)、チャネル間のオフセットなどを含み得る。
【００４９】
[0060]さらに示されているように、ＰＵＣＣＨ送信電力は、ＰＵＳＣＨ送信電力とは無関係ではなく、ＰＵＳＣＨ送信電力に基づいて設定され得る。たとえば、ＰＵＣＣＨは、概してより低い送信電力を必要とするが、ＰＵＳＣＨ送信電力に一致するかまたは実質的に一致するように送信電力をブーストすることは有益であり得る。２つのチャネルにわたるより均一な送信電力は、より緩和しやすいより均一な干渉パターンを生じ得、アクセスポイント１１０とアクセス端末１２０の両方におけるより簡単なインプリメンテーションをも可能にし得る。ＰＵＣＣＨがＰＵＳＣＨなしに送信される図示の例の第２のシンボル期間の場合のように、ＰＵＣＣＨとＰＵＳＣＨとが同じシンボル期間中に送信されないときでも、ＰＵＣＣＨ送信電力をブーストすることは、通信媒体１４０が、アクセスポイント１１０の完全なカバレージエリア上で１次ＲＡＴシステム１００によって占有されたままであることを可能にし、したがって、競合ＲＡＴシステム１５０が通信媒体１４０の一部分を奪取するのを防ぎ得る。
【００５０】
[0061]概して、ＰＵＣＣＨおよびＰＵＳＣＨは、すべてのシンボル期間およびサブキャリアにわたって一定の電力を用いて送信され得る。送信電力はまた、各チャネルのカバレージエリアを少なくとも総電力制約内で最大にし、さらに、１次ＲＡＴシステム１００による通信媒体１４０へのアクセスを保持するために選定され得る。また、ＰＵＣＣＨおよびＰＵＳＣＨはここでは説明の目的で説明されるが、サウンディング基準信号（ＳＲＳ）チャネル、チャネル状態情報基準信号（ＣＳＩ−ＲＳ）チャネルなどの他の制御チャネルを含む、他のチャネルのための電力制御は、それらのカバレージエリアに一致するかまたは実質的に一致するように同様の様式で実施され得ることが諒解されよう。
【００５１】
[0062]図７は、上記で説明された技法による、通信の例示的な方法を示す流れ図である。方法７００は、たとえば、共有通信媒体上で動作するアクセスポイント（たとえば、図１に示されているアクセスポイント１１０）によって実施され得る。一例として、通信媒体は、ＬＴＥ技術デバイスとＷｉ−Ｆｉ技術デバイスとの間で共有される無認可無線周波数帯域上の１つまたは複数の時間、周波数、または空間リソースを含み得る。
【００５２】
[0063]図示のように、アクセスポイントは、アップリンク制御チャネルを搬送するためのリソースエレメントのセットを選択し（ブロック７０２）、リソースエレメントの選択されたセットに関連する１つまたは複数の構成パラメータを含む構成メッセージを１つまたは複数のアクセス端末に送信する（ブロック７０４）。アクセスポイントは、次いで、リソースエレメントの選択されたセットを介して１つまたは複数のアクセス端末からアップリンク制御シグナリングを受信する（ブロック７０６）。
【００５３】
[0064]上記でより詳細に説明されたように、アクセスポイントはまた、アップリンク制御チャネルの構成を動的に変化させ得る。たとえば、アクセスポイントは、アップリンク制御チャネルを搬送するためのリソースエレメントの他のセットを選択し、リソースエレメントの他の選択されたセットに関連する１つまたは複数の他の構成パラメータを含む他の構成メッセージを１つまたは複数のアクセス端末に送信し、リソースエレメントの他の選択されたセットを介して１つまたは複数のアクセス端末からアップリンク制御シグナリングを受信し得る。
【００５４】
[0065]一例として、１つまたは複数の構成パラメータは、リソースエレメントの選択されたセットが位置する１つまたは複数のアップリンクサブフレームを識別するサブフレーム識別子、リソースエレメントの選択されたセットが位置する１つまたは複数のシンボル期間を識別するシンボル期間識別子、リソースエレメントの選択されたセットが位置する１つまたは複数のサブキャリアを識別するサブキャリア識別子、またはそれらの組合せを含み得る。
【００５５】
[0066]構成メッセージは、異なる方法で送信され得る（ブロック７０４）。たとえば、構成メッセージは、個々のＲＲＣメッセージとして別々に１つまたは複数のアクセス端末の各々に送信され得る。別の例として、構成メッセージは、共通ＤＣＩメッセージとしてまとめて１つまたは複数のアクセス端末の各々に送信され得る。
【００５６】
[0067]いくつかの設計またはシナリオでは、アクセスポイントはまた、アップリンクデータチャネルを構成し得る。たとえば、アクセスポイントは、アップリンクデータチャネルを搬送するためのリソースエレメントの他のセットを選択し、アップリンクデータチャネルを搬送するリソースエレメントの選択されたセットは、アップリンク制御チャネルを搬送するリソースエレメントの選択されたセットと共通サブフレーム中で多重化される（随意のブロック７０８）。アクセスポイントは、次いで、アップリンクデータチャネルを搬送するリソースエレメントの選択されたセットのためのサブフレーム内の開始時間を識別する許可メッセージを１つまたは複数のアクセス端末に送信し（随意のブロック７１０）、アップリンクデータチャネルを搬送するリソースエレメントの選択されたセットを介して、１つまたは複数のアクセス端末からアップリンクデータシグナリングを受信する（随意のブロック７１２）。許可メッセージは、たとえば、アップリンクデータチャネルを搬送するリソースエレメントの選択されたセットの第１のサブキャリアインターレースのための第１の開始時間と、アップリンクデータチャネルを搬送するリソースエレメントの選択されたセットの第２のサブキャリアインターレースのための第２の開始時間とを識別し得る。
【００５７】
[0068]いくつかの設計またはシナリオでは、アクセス端末が所与のシンボル期間中に制御シグナリングのために指定されない場合でも、アクセスポイントは、そのシンボル期間中にアクセス端末からアップリンク制御シグナリングを受信し得る。たとえば、アクセスポイントは、第１のシンボル期間中に、アップリンク制御チャネルを搬送するリソースエレメントの選択されたセットの少なくとも一部分を、第１のアクセス端末に割り当て、第２のシンボル期間中に、アップリンクデータチャネルを搬送するリソースエレメントの選択されたセットの少なくとも一部分を、第２のアクセス端末に割り当てることができる。アクセスポイントは、次いで、第１のシンボル期間の間に、アップリンク制御チャネルを搬送するリソースエレメントの選択されたセットの割り当てられた部分を介して、第２のアクセス端末からシグナリングを受信し得る。一例として、受信されたシグナリングは、第２のアクセス端末に関連するシグネチャを有するか、またはダミーシグナリングのために予約されたサブキャリアインターレース上で受信された、ダミー信号を備え得る。
【００５８】
[0069]いくつかの設計またはシナリオでは、アクセスポイントは、（たとえば、カバレージエリアに一致するかまたは実質的に一致するように）アップリンク制御チャネルの送信電力をアップリンクデータチャネルの送信電力に結合し得る。たとえば、アクセスポイントは、アップリンクデータチャネルのための第１の送信電力を設定し、アップリンクデータチャネルのための第１の送信電力に基づいて、アップリンク制御チャネルのための第２の送信電力を設定し、アップリンク制御チャネルのための少なくとも第２の送信電力を示す電力制御コマンドを１つまたは複数のアクセス端末に送信し得る。
【００５９】
[0070]図８は、上記で説明された技法による、通信の別の例示的な方法を示す流れ図である。方法８００は、たとえば、共有通信媒体上で動作するアクセス端末（たとえば、図１に示されているアクセス端末１２０）によって実施され得る。一例として、通信媒体は、ＬＴＥ技術デバイスとＷｉ−Ｆｉ技術デバイスとの間で共有される無認可無線周波数帯域上の１つまたは複数の時間、周波数、または空間リソースを含み得る。
【００６０】
[0071]図示のように、アクセス端末は、アクセスポイントから、アップリンク制御チャネルのための１つまたは複数の構成パラメータを含む構成メッセージを受信し（ブロック８０２）、構成メッセージに基づいて、アップリンク制御チャネルを搬送するように構成されたリソースエレメントのセットを決定する（ブロック８０４）。アクセス端末は、次いで、リソースエレメントの決定されたセットを介してアクセスポイントにアップリンク制御シグナリングを送信する（ブロック８０６）。
【００６１】
[0072]上記でより詳細に説明されたように、アクセス端末はまた、アップリンク制御チャネルの構成が変化したと動的に決定し得る。たとえば、アクセス端末は、アクセスポイントから、アップリンク制御チャネルのための１つまたは複数の他の構成パラメータを含む他の構成メッセージを受信し、他の構成メッセージに基づいて、アップリンク制御チャネルを搬送するように構成されたリソースエレメントの他のセットを決定し、リソースエレメントの他の決定されたセットを介してアクセスポイントにアップリンク制御シグナリングを送信し得る。
【００６２】
[0073]一例として、１つまたは複数の構成パラメータは、リソースエレメントの決定されたセットが位置する１つまたは複数のアップリンクサブフレームを識別するサブフレーム識別子、リソースエレメントの決定されたセットが位置する１つまたは複数のシンボル期間を識別するシンボル期間識別子、リソースエレメントの決定されたセットが位置する１つまたは複数のサブキャリアを識別するサブキャリア識別子、またはそれらの組合せを含み得る。
【００６３】
[0074]構成メッセージは、異なる方法で受信され得る（ブロック８０２）。たとえば、構成メッセージは、アクセスポイントから個々のＲＲＣメッセージとして受信され得る。別の例として、構成メッセージは、アクセスポイントから共通ＤＣＩメッセージとして受信され得る。
【００６４】
[0075]いくつかの設計またはシナリオでは、アクセス端末はまた、アップリンクデータチャネルの構成を決定し得る。たとえば、アクセス端末は、アクセスポイントから、アップリンクデータチャネルのためのサブフレーム内の開始時間を識別する許可メッセージを受信し（随意のブロック８０８）、許可メッセージに基づいて、アップリンクデータチャネルを搬送するように構成されたリソースエレメントの他のセットを決定し、アップリンクデータチャネルを搬送するリソースエレメントの決定されたセットが、アップリンク制御チャネルを搬送するリソースエレメントの決定されたセットとサブフレーム中で多重化される（随意のブロック８１０）。アクセス端末は、次いで、アップリンクデータチャネルを搬送するリソースエレメントの決定されたセットを介してアクセスポイントにアップリンクデータシグナリングを送信する（随意のブロック８１２）。許可メッセージは、たとえば、アップリンクデータチャネルを搬送するリソースエレメントの決定されたセットの第１のサブキャリアインターレースのための第１の開始時間と、アップリンクデータチャネルを搬送するリソースエレメントの決定されたセットの第２のサブキャリアインターレースのための第２の開始時間とを識別し得る。
【００６５】
[0076]いくつかの設計またはシナリオでは、アクセス端末が所与のシンボル期間中に制御シグナリングのために指定されない場合でも、アクセス端末は、そのシンボル期間中にアップリンク制御シグナリングを送信し得る。たとえば、アクセス端末は、アクセスポイントから、第１のシンボル期間中に、アップリンク制御チャネルを搬送するリソースエレメントの決定されたセットのいずれの割当ても受信しないが、アクセスポイントから、第２のシンボル期間中に、アップリンクデータチャネルを搬送するリソースエレメントの決定されたセットの少なくとも一部分の割当てを受信し得る。それにもかかわらず、アクセス端末は、第１のシンボル期間の間に、アップリンク制御チャネルを搬送するリソースエレメントの決定されたセットの割り当てられた部分を介して、アクセスポイントにシグナリングを送信し得る。一例として、送信されたシグナリングは、シグナリングを送信するアクセス端末に関連するシグネチャを有するか、またはダミーシグナリングのために予約されたサブキャリアインターレース上で送信された、ダミー信号を備え得る。
【００６６】
[0077]いくつかの設計またはシナリオでは、アクセス端末は、（たとえば、カバレージエリアに一致するかまたは実質的に一致するように）アップリンク制御チャネルの送信電力をアップリンクデータチャネルの送信電力に結合し得る。たとえば、アクセス端末は、アクセスポイントから電力制御コマンドを受信し、電力制御コマンドに基づいて第１の送信電力においてアップリンクデータチャネルを介してアップリンクデータシグナリングを送信し、電力制御コマンドと第１の送信電力とに基づいて第２の送信電力においてアップリンク制御チャネルを介してアップリンク制御シグナリングを送信し得る。
【００６７】
[0078]一般性のために、アクセスポイント１１０およびアクセス端末１２０は、図１では、それぞれ、アップリンクチャネル構成マネージャ１１２およびアップリンクチャネル構成マネージャ１２２を含むものとして関連する部分においてのみ示されている。しかしながら、アクセスポイント１１０およびアクセス端末１２０は、本明細書で説明される動的チャネル構成技法を与えるかまたはさもなければサポートするように様々な方法で構成され得ることが諒解されよう。
【００６８】
[0079]図９は、１次ＲＡＴシステム１００のアクセスポイント１１０およびアクセス端末１２０の例示的な構成要素をより詳細に示すデバイスレベル図である。図示のように、アクセスポイント１１０およびアクセス端末１２０はそれぞれ、概して、少なくとも１つの指定されたＲＡＴを介して他のワイヤレスノードと通信するための（通信デバイス９３０および９５０によって表される）ワイヤレス通信デバイスを含み得る。通信デバイス９３０および９５０は、指定されたＲＡＴに従って信号（たとえば、メッセージ、指示、情報、パイロットなど）を送信および符号化するため、および逆に、信号を受信および復号するためにさまざまに構成され得る。
【００６９】
[0080]通信デバイス９３０および９５０は、たとえば、それぞれの１次ＲＡＴトランシーバ９３２および９５２、ならびに、いくつかの設計では、それぞれ、（たとえば、競合ＲＡＴシステム１５０によって採用されるＲＡＴに対応する）（随意の）コロケートされた２次ＲＡＴトランシーバ９３４および９５４など、１つまたは複数のトランシーバを含み得る。本明細書で使用される「トランシーバ」は、送信機回路、受信機回路、またはそれらの組合せを含み得るが、すべての設計において送信機能と受信機能の両方を与える必要があるとは限らない。たとえば、完全な通信を与えることが必要でないとき、コストを低減するために、いくつかの設計では、低機能受信機回路が採用され得る（たとえば、低レベルスニッフィングのみを与える無線チップまたは同様の回路）。さらに、本明細書で使用される「コロケートされた（co-located）」（たとえば、無線機、アクセスポイント、トランシーバなど）という用語は、様々な配置のうちの１つを指し得る。たとえば、同じハウジング中にある構成要素、同じプロセッサによってホストされる構成要素、互いの定義された距離内にある構成要素、および／またはインターフェース（たとえば、イーサネット（登録商標）スイッチ）を介して接続された構成要素、ここで、インターフェースは、必要とされるコンポーネント間通信（たとえば、メッセージング）のレイテンシ要件を満たす。
【００７０】
[0081]アクセスポイント１１０およびアクセス端末１２０はそれぞれ、概して、それらのそれぞれの通信デバイス９３０および９５０の動作（たとえば、指示すること、変更すること、有効にすること、無効にすることなど）を制御するための（通信コントローラ９４０および９６０によって表される）通信コントローラをも含み得る。通信コントローラ９４０および９６０は、それぞれ、１つまたは複数のプロセッサ９４２および９６２、ならびにプロセッサ９４２および９６２に結合された１つまたは複数のメモリ９４４および９６４を含み得る。メモリ９４４および９６４は、オンボードキャッシュメモリとして、別個の構成要素として、組合せとしてなどのいずれかで、データ、命令、またはそれらの組合せを記憶するように構成され得る。プロセッサ９４２および９６２ならびにメモリ９４４および９６４は、スタンドアロン通信構成要素であり得るか、またはアクセスポイント１１０およびアクセス端末１２０のそれぞれのホストシステム機能の一部であり得る。
【００７１】
[0082]アップリンクチャネル構成マネージャ１１２とアップリンクチャネル構成マネージャ１２２とは、異なる方法でインプリメントされ得ることが諒解されよう。いくつかの設計では、それに関連する機能の一部または全部が、少なくとも１つのプロセッサ（たとえば、プロセッサ９４２のうちの１つまたは複数および／またはプロセッサ９６２のうちの１つまたは複数）、少なくとも１つのメモリ（たとえば、メモリ９４４のうちの１つまたは複数および／またはメモリ９６４のうちの１つまたは複数）、（たとえば、トランシーバ９３２および９３４の１つまたは複数ならびに／またはトランシーバ９５２および９５４の１つまたは複数）、あるいはそれらの組合せによってインプリメントされるか、またはさもなければそれらの指示においてインプリメントされ得る。他の設計では、それに関連する機能の一部または全部が、一連の相互に関係する機能モジュールとしてインプリメントされ得る。
【００７２】
[0083]したがって、図１〜図８に関して上記で説明された動作を実施するために図９中の構成要素が使用され得ることが諒解されよう。たとえば、アクセスポイント１１０は、プロセッサ９４２とメモリ９４４とを介して、アップリンク制御チャネルを搬送するためのリソースエレメントのセットを選択し得る。アクセスポイント１１０は、１次ＲＡＴトランシーバ９３２を介して、リソースエレメントの選択されたセットに関連する１つまたは複数の構成パラメータを含む構成メッセージをアクセス端末１２０に送信し得る。アクセスポイント１１０は、１次ＲＡＴトランシーバ９３２を介して、アクセス端末１２０から、リソースエレメントの選択されたセットを介してアップリンク制御シグナリングを受信し得る。さらに、アクセスポイント１１０は、プロセッサ９４２とメモリ９４４とを介して、アップリンクデータチャネルを搬送するためのリソースエレメントの他のセットを選択し得る。アクセスポイント１１０は、次いで、１次ＲＡＴトランシーバ９３２を介して、アップリンクデータチャネルを搬送するリソースエレメントの選択されたセットのためのサブフレーム内の開始時間を識別する許可メッセージをアクセス端末１２０に送信し得る。アクセスポイント１１０は、１次ＲＡＴトランシーバ９３２を介して、アップリンクデータチャネルを搬送するリソースエレメントの選択されたセットを介して、アクセス端末１２０からアップリンクデータシグナリングを受信し得る。
【００７３】
[0084]別の例として、アクセス端末１２０は、プロセッサ９６２とメモリ９６４とを介して、アクセスポイント１１０から、アップリンク制御チャネルのための１つまたは複数の構成パラメータを含む構成メッセージを受信し得る。アクセス端末１２０は、プロセッサ９６２とメモリ９６４とを介して、構成メッセージに基づいて、アップリンク制御チャネルを搬送するように構成されたリソースエレメントのセットを決定し得る。アクセス端末１２０は、次いで、１次ＲＡＴトランシーバ９５２を介して、リソースエレメントの決定されたセットを介してアクセスポイント１１０にアップリンク制御シグナリングを送信し得る。さらに、アクセス端末は、１次ＲＡＴトランシーバ９５２を介して、アクセスポイント１１０から、アップリンクデータチャネルのためのサブフレーム内の開始時間を識別する許可メッセージを受信し得る。アクセス端末１２０は、プロセッサ９６２およびメモリ９６４を介して、許可メッセージに基づいて、アップリンクデータチャネルを搬送するように構成されたリソースエレメントの他のセットを決定し得る。アクセス端末１２０は、次いで、１次ＲＡＴトランシーバ９５２を介して、アップリンクデータチャネルを搬送するリソースエレメントの決定されたセットを介してアクセスポイント１１０にアップリンクデータシグナリングを送信し得る。
【００７４】
[0085]図１０は、一連の相互に関係する機能モジュールとして表されたアップリンクチャネル構成マネージャ１１２をインプリメントするための例示的なアクセスポイント装置を示す。図示の例では、装置１０００は、選択するためのモジュール１００２と、送信するためのモジュール１００４と、受信するためのモジュール１００６と、選択するための（随意の）モジュール１００８と、送信するための（随意の）モジュール１０１０と、受信するための（随意のモジュール１０１２とを含む。
【００７５】
[0086]選択するためのモジュール１００２は、アップリンク制御チャネルを搬送するためのリソースエレメントのセットを選択するように構成され得る。送信するためのモジュール１００４は、リソースエレメントの選択されたセットに関連する１つまたは複数の構成パラメータを含む構成メッセージを１つまたは複数のアクセス端末に送信するように構成され得る。受信するためのモジュール１００６は、次いで、リソースエレメントの選択されたセットを介して１つまたは複数のアクセス端末からアップリンク制御シグナリングを受信するように構成され得る。
【００７６】
[0087]上記でより詳細に説明されたように、アップリンク制御チャネルの構成は動的に変化させられ得、構成メッセージは、異なる方法で送信され得る。一例として、１つまたは複数の構成パラメータは、リソースエレメントの選択されたセットが位置する１つまたは複数のアップリンクサブフレームを識別するサブフレーム識別子、リソースエレメントの選択されたセットが位置する１つまたは複数のシンボル期間を識別するシンボル期間識別子、リソースエレメントの選択されたセットが位置する１つまたは複数のサブキャリアを識別するサブキャリア識別子、またはそれらの組合せを含み得る。
【００７７】
[0088]図１０に戻ると、選択するための（随意の）モジュール１００８は、アップリンクデータチャネルを搬送するためのリソースエレメントの他のセットを選択するように構成され得、アップリンクデータチャネルを搬送するリソースエレメントの選択されたセットは、アップリンク制御チャネルを搬送するリソースエレメントの選択されたセットと共通サブフレーム中で多重化される。送信するための（随意の）モジュール１０１０は、アップリンクデータチャネルを搬送するリソースエレメントの選択されたセットのためのサブフレーム内の開始時間を識別する許可メッセージを１つまたは複数のアクセス端末に送信するように構成され得る。受信するための（随意の）モジュール１０１２は、アップリンクデータチャネルを搬送するリソースエレメントの選択されたセットを介して、１つまたは複数のアクセス端末からアップリンクデータシグナリングを受信するように構成され得る。許可メッセージは、たとえば、アップリンクデータチャネルを搬送するリソースエレメントの選択されたセットの第１のサブキャリアインターレースのための第１の開始時間と、アップリンクデータチャネルを搬送するリソースエレメントの選択されたセットの第２のサブキャリアインターレースのための第２の開始時間とを識別し得る。
【００７８】
[0089]また、上記でより詳細に説明されたように、アクセス端末が所与のシンボル期間中に制御シグナリングのために指定されない場合でも、アップリンク制御シグナリングは、そのシンボル期間中にアクセス端末から受信され得る。さらに、アップリンク制御チャネルの送信電力が、（たとえば、カバレージエリアに一致するかまたは実質的に一致するように）アップリンクデータチャネルの送信電力に結合され得る。
【００７９】
[0090]図１１は、一連の相互に関係する機能モジュールとして表されたアップリンクチャネル構成マネージャ１２２をインプリメントするための例示的なアクセス端末装置を示す。図示の例では、装置１１００は、受信するためのモジュール１１０２と、決定するためのモジュール１１０４と、送信するためのモジュール１１０６と、受信するための（随意の）モジュール１１０８と、決定するための（随意の）モジュール１１１０と、送信するための（随意の）モジュール１１１２とを含む。
【００８０】
[0091]受信するためのモジュール１１０２は、アクセスポイントから、アップリンク制御チャネルのための１つまたは複数の構成パラメータを含む構成メッセージを受信するように構成され得る。決定するためのモジュール１１０４は、構成メッセージに基づいて、アップリンク制御チャネルを搬送するように構成されたリソースエレメントのセットを決定するように構成され得る。送信するためのモジュール１１０６は、リソースエレメントの他の決定されたセットを介してアクセスポイントにアップリンク制御シグナリングを送信するように構成され得る。
【００８１】
[0092]上記でより詳細に説明されたように、アップリンク制御チャネルの構成は動的に変化させられ得、構成メッセージは、異なる方法で受信され得る。一例として、１つまたは複数の構成パラメータは、リソースエレメントの決定されたセットが位置する１つまたは複数のアップリンクサブフレームを識別するサブフレーム識別子、リソースエレメントの決定されたセットが位置する１つまたは複数のシンボル期間を識別するシンボル期間識別子、リソースエレメントの決定されたセットが位置する１つまたは複数のサブキャリアを識別するサブキャリア識別子、またはそれらの組合せを含み得る。
【００８２】
[0093]図１１に戻ると、受信するための（随意の）モジュール１１０８は、アクセスポイントから、アップリンクデータチャネルのためのサブフレーム内の開始時間を識別する許可メッセージを受信するように構成され得る。決定するための（随意の）モジュール１１１０は、許可メッセージに基づいて、アップリンクデータチャネルを搬送するように構成されたリソースエレメントの他のセットを決定するように構成され得、アップリンクデータチャネルを搬送するリソースエレメントの決定されたセットは、アップリンク制御チャネルを搬送するリソースエレメントの決定されたセットとサブフレーム中で多重化される。送信するための（随意の）モジュール１１１２は、アップリンクデータチャネルを搬送するリソースエレメントの決定されたセットを介してアクセスポイントにアップリンクデータシグナリングを送信するように構成され得る。許可メッセージは、たとえば、アップリンクデータチャネルを搬送するリソースエレメントの決定されたセットの第１のサブキャリアインターレースのための第１の開始時間と、アップリンクデータチャネルを搬送するリソースエレメントの決定されたセットの第２のサブキャリアインターレースのための第２の開始時間とを識別し得る。
【００８３】
[0094]また、上記でより詳細に説明されたように、アクセス端末が所与のシンボル期間中に制御シグナリングのために指定されない場合でも、アップリンク制御シグナリングは、そのシンボル期間中に送信され得る。さらに、アップリンク制御チャネルの送信電力が、（たとえば、カバレージエリアに一致するかまたは実質的に一致するように）アップリンクデータチャネルの送信電力に結合され得る。
【００８４】
[0095]図１０〜図１１のモジュールの機能は、本明細書の教示に一致する様々な方法でインプリメントされ得る。いくつかの設計では、これらのモジュールの機能は、１つまたは複数の電気的構成要素としてインプリメントされ得る。いくつかの設計では、これらのブロックの機能は、１つまたは複数のプロセッサ構成要素を含む処理システムとしてインプリメントされ得る。いくつかの設計では、これらのモジュールの機能は、たとえば、１つまたは複数の集積回路（たとえば、ＡＳＩＣ）の少なくとも一部分を使用してインプリメントされ得る。本明細書で説明されたように、集積回路は、プロセッサ、ソフトウェア、他の関係する構成要素、またはそれらの何らかの組合せを含み得る。したがって、異なるモジュールの機能は、たとえば、集積回路の異なるサブセットとして、ソフトウェアモジュールのセットの異なるサブセットとして、またはそれらの組合せとしてインプリメントされ得る。また、（たとえば、集積回路のおよび／またはソフトウェアモジュールのセットの）所与のサブセットは、機能の少なくとも一部分を２つ以上のモジュールに与え得ることを諒解されよう。
【００８５】
[0096]さらに、図１０〜図１１によって表された構成要素および機能ならびに本明細書で説明された他の構成要素および機能は、任意の適切な手段を使用してインプリメントされ得る。そのような手段はまた、少なくとも部分的に、本明細書で教示された対応する構造を使用してインプリメントされ得る。たとえば、図１０〜図１１の構成要素「のためのモジュール」に関連して上記で説明された構成要素はまた、同様に指定された機能「のための手段」に対応し得る。したがって、いくつかの態様では、そのような手段のうちの１つまたは複数は、アルゴリズムとして含む、本明細書で教示されたプロセッサ構成要素、集積回路、または他の好適な構造のうちの１つまたは複数を使用してインプリメントされ得る。当業者は、本開示では、上記に記載された文章において、同様に擬似コードによって表され得るアクションのシーケンスにおいて表されたアルゴリズムを認識されよう。たとえば、図１０〜図１１によって表された構成要素および機能は、ロード動作、比較動作、復帰動作、ＩＦ−ＴＨＥＮ−ＥＬＳＥループなどを実施するためのコードを含み得る。
【００８６】
[0097]本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の事例を区別する便利な方法として使用され得る。したがって、第１および第２の要素への言及は、そこで２つの要素のみが採用され得ること、または第１の要素が何らかの方法で第２の要素に先行しなければならないことを意味しない。また、別段に記載されていない限り、要素のセットは１つまたは複数の要素を備え得る。さらに、明細書または特許請求の範囲において使用される「Ａ、Ｂ、またはＣのうちの少なくとも１つ」または「Ａ、Ｂ、またはＣのうちの１つまたは複数」または「Ａ、Ｂ、およびＣからなるグループのうちの少なくとも１つ」という形式の用語は、「ＡまたはＢまたはＣあるいはこれらの要素の任意の組合せ」を意味する。たとえば、この用語は、Ａ、またはＢ、またはＣ、またはＡおよびＢ、またはＡおよびＣ、またはＡおよびＢおよびＣ、または２Ａ、または２Ｂ、または２Ｃなどを含み得る。
【００８７】
[0098]上記の記述および説明に鑑みて、本明細書で開示された態様に関して説明された様々な例示的な論理ブロック、モジュール、回路、およびアルゴリズムステップは、電子ハードウェア、コンピュータソフトウェア、または両方の組合せとしてインプリメントされ得ることを、当業者は諒解されよう。ハードウェアとソフトウェアのこの互換性を明確に示すために、様々な例示的な構成要素、ブロック、モジュール、回路、およびステップが、概してそれらの機能に関して上記で説明された。そのような機能がハードウェアとしてインプリメントされるか、ソフトウェアとしてインプリメントされるかは、特定の適用例および全体的なシステムに課される設計制約に依存する。当業者は、説明された機能を特定の適用例ごとに様々な方法でインプリメントし得るが、そのようなインプリメンテーションの決定は、本開示の範囲からの逸脱を生じるものと解釈されるべきではない。
【００８８】
[0099]したがって、たとえば、装置または装置の構成要素は、本明細書で教示された機能を与えるように構成され得る（あるいはそのように動作可能にされるかまたは適応され得る）ことが諒解されよう。これは、たとえば、その機能を与えるように装置または構成要素を製造する（たとえば、作製する）ことによって、その機能を与えるように装置または構成要素をプログラムすることによって、あるいは何らかの他の好適なインプリメンテーション技法の使用によって、達成され得る。一例として、集積回路は、必須の機能を与えるために作製され得る。別の例として、集積回路は、必須の機能をサポートするために作製され、次いで、必須の機能を与えるように（たとえば、プログラミングによって）構成され得る。また別の例として、プロセッサ回路は、必須の機能を与えるためのコードを実行し得る。
【００８９】
[00100]さらに、明細書で開示された態様に関して説明された方法、シーケンスおよび／またはアルゴリズムは、ハードウェアで直接実施されるか、プロセッサによって実行されるソフトウェアモジュールで実施されるか、またはそれらの２つの組合せで実施され得る。ソフトウェアモジュールは、ランダムアクセスメモリ（ＲＡＭ）、フラッシュメモリ、読取り専用メモリ（ＲＯＭ）、消去可能プログラマブル読取り専用メモリ（ＥＰＲＯＭ）、電気的消去可能プログラマブル読取り専用メモリ（ＥＥＰＲＯＭ（登録商標））、レジスタ、ハードディスク、リムーバブルディスク、ＣＤ−ＲＯＭ、または当技術分野で知られている、一時的または非一時的の任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサと一体であり得る（たとえば、キャッシュメモリ）。
【００９０】
[00101]したがって、たとえば、本開示のいくつかの態様が、通信のための方法を実施する一時的または非一時的コンピュータ可読媒体を含むことができることも諒解されよう。
【００９１】
[00102]上記の開示は、様々な例示的な態様を示しているが、添付の特許請求の範囲によって定義される範囲から逸脱することなく、様々な変更および修正が、示された例に対して行われ得ることに留意されたい。本開示は、具体的に示された例のみに限定されるものではない。たとえば、別段に記載されていない限り、本明細書で説明された本開示の態様による方法クレームの機能、ステップおよび／またはアクションは、特定の順序で実施されなくてもよい。さらに、いくつかの態様は、単数形で説明または請求されていることがあるが、単数形への限定が明示的に述べられていない限り、複数形が企図される。
【図１】
2018533289.tif 000003
【図２】
2018533289.tif 000004
【図３】
2018533289.tif 000005
【図４】
2018533289.tif 000006
【図５】
2018533289.tif 000007
【図６】
2018533289.tif 000008
【図７】
2018533289.tif 000009
【図８】
2018533289.tif 000010
【図９】
2018533289.tif 000011
【図１０】
2018533289.tif 000012
【図１１】
2018533289.tif 000013
【国際調査報告】
2018533289.tif 000014
2018533289.tif 000015
2018533289.tif 000016
2018533289.tif 000017